(57)【要約】本発明の実施例は、ＳＰＳのアクティブ特定方法及びユーザ機器を提供し、具体的に、本発明の実施例によるＳＰＳのアクティブ特定方法は、前記ＳＰＳがアクティブであるかを暗黙的に指示する下り制御情報（ＤＣＩ）を受信することと、受信したＤＣＩの指示に基づいて前記ＳＰＳがアクティブであるかを特定することと、を含む。本発明の別の実施例によるＳＰＳのアクティブ特定方法は、データチャネルにおける上位層制御エレメントを検知することと、前記上位層制御エレメントの指示に基づいて前記ＳＰＳがアクティブであるかを特定することと、を含む。本発明のさらに別の実施例によるＳＰＳのアクティブ特定方法は、下り制御情報（ＤＣＩ）を受信することと、前記ＤＣＩにおける特定フィールドの値と前記ＳＰＳのアクティブ及び／又はデアクティブとの対応関係に基づいて、前記ＳＰＳがアクティブであるかを特定すること、とを含む。
2020537845.tif 000002
【特許請求の範囲】
【請求項１】
ＳＰＳのアクティブ特定方法であって、
前記ＳＰＳがアクティブであるかを暗黙的に指示する、下り制御情報（ＤＣＩ）を受信することと、
受信したＤＣＩの指示に基づいて前記ＳＰＳがアクティブであるかを特定することと、
を含む、ＳＰＳのアクティブ特定方法。
【請求項２】
前記受信したＤＣＩの指示に基づいて前記ＳＰＳがアクティブであるかを特定することは、前記ＤＣＩにおけるスクランブリングのための無線ネットワーク一時的識別子に基づいて、前記ＳＰＳがアクティブであるかを特定することを含む、請求項１記載の方法。
【請求項３】
前記受信したＤＣＩの指示に基づいて前記ＳＰＳがアクティブであるかを特定することは、ＤＣＩが位置するリソース位置に基づいて前記ＳＰＳがアクティブであるかを特定することを含む、請求項１記載の方法。
【請求項４】
前記受信したＤＣＩの指示に基づいて前記ＳＰＳがアクティブであるかを特定することは、ＤＣＩに指示されるデータチャネルのリソース位置に基づいて前記ＳＰＳがアクティブであるかを特定することを含む、請求項１記載の方法。
【請求項５】
ＳＰＳのアクティブ特定方法であって、
データチャネルにおける上位層制御エレメントを検知することと、
前記上位層制御エレメントの指示に基づいて前記ＳＰＳがアクティブであるかを特定することと、
を含む、ＳＰＳのアクティブ特定方法。
【請求項６】
ＳＰＳのアクティブ特定方法であって、
下り制御情報（ＤＣＩ）を受信することと、
前記ＤＣＩにおける特定フィールドの値と前記ＳＰＳのアクティブ及び／又はデアクティブとの対応関係に基づいて、前記ＳＰＳがアクティブであるかを特定することと、
を含む、ＳＰＳのアクティブ特定方法。
【請求項７】
前記特定フィールドの値は、ＤＣＩにおける予約フィールドの特定値である、請求項６記載の方法。
【請求項８】
前記特定フィールドは、前記ＤＣＩの一つ又は複数の冗長ビットである、請求項６記載の方法。
【請求項９】
前記ＤＣＩにおける特定フィールドの値と前記ＳＰＳのアクティブ及び／又はデアクティブとの対応関係に基づいて、前記ＳＰＳがアクティブであるかを特定することは、
ＤＣＩにおける変調符号化方式インデックスを指示するフィールドから少なくとも１ビットを削減し、当該フィールドにおける残りのビットにより変調符号化方式インデックスを表すことと、
前記少なくとも１ビットの値と前記ＳＰＳのアクティブ及び／又はデアクティブとの対応関係に基づいて、前記ＳＰＳがアクティブであるかを特定することと、
を含む、請求項６記載の方法。
【請求項１０】
ＵＥであって、
前記ＳＰＳがアクティブであるかを暗黙的に指示する下り制御情報（ＤＣＩ）を受信するように配置される受信部と、
受信したＤＣＩの指示に基づいて前記ＳＰＳがアクティブであるかを特定するように配置される特定部と、
を含む、ＵＥ。
【請求項１１】
前記特定部は、前記ＤＣＩにおけるスクランブリングのための無線ネットワーク一時的識別子に基づいて、前記ＳＰＳがアクティブであるかを特定する、請求項１０記載のＵＥ。
【請求項１２】
前記特定部は、ＤＣＩが位置するリソース位置に基づいて前記ＳＰＳがアクティブであるかを特定する、請求項１０記載のＵＥ。
【請求項１３】
前記特定部は、ＤＣＩにより指示されるデータチャネルのリソース位置に基づいて前記ＳＰＳがアクティブであるかを特定する、請求項１０記載のＵＥ。
【請求項１４】
ＵＥであって、
データチャネルにおける上位層制御エレメントを検知するように配置される検知部と、前記上位層制御エレメントの指示に基づいて前記ＳＰＳがアクティブであるかを特定するように配置される特定部と、
を含む、ＵＥ。
【請求項１５】
ＵＥであって、
下り制御情報（ＤＣＩ）を受信するように配置される受信部と、
前記ＤＣＩにおける特定フィールドの値と前記ＳＰＳのアクティブ及び／又はデアクティブとの対応関係に基づいて、前記ＳＰＳがアクティブであるかを特定するように配置される特定部と、
を含む、ＵＥ。
【請求項１６】
前記特定フィールドの値は、ＤＣＩにおける予約フィールドの特定値である、請求項１５記載のＵＥ。
【請求項１７】
前記特定フィールドは、前記ＤＣＩの一つ又は複数の冗長ビットである、請求項１５記載のＵＥ。
【請求項１８】
前記特定部は、ＤＣＩにおける変調符号化方式インデックスを指示するフィールドから少なくとも１ビットを削減し、当該フィールドにおける残りのビットにより変調符号化方式インデックスを指示し、前記少なくとも１ビットの値と前記ＳＰＳのアクティブ及び／又はデアクティブとの対応関係に基づいて、前記ＳＰＳがアクティブであるかを特定する、請求項１５記載のＵＥ。
【発明の詳細な説明】
【技術分野】
【０００１】  本出願は、無線通信分野に関し、具体的に、無線通信システムで使用されるＳＰＳのアクティブ特定方法及びユーザ機器に関する。
【背景技術】
【０００２】  セルラー技術に基づく狭帯域モノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）は、世界中で広く使用できる新興技術であり、ＷＡＮでの低電力デバイスのセルラーデータ接続を対応し、ＧＳＭ（登録商標）ネットワーク、ＵＭＴＳネットワーク又はＬＴＥネットワークに直接展開することができ、広いカバレッジ、多数接続、低速、低コスト、低電力、優れたアーキテクチャ等の特徴がある。
【発明の概要】
【発明が解決しようとする課題】
【０００３】  ＮＢ−ＩｏＴでは、準静的スケジューリング（ＳＰＳ）のスケジューリング方式を採用することができる。ＳＰＳとは、一定の周期内に基地局（ｅＮＢ）がユーザ機器（ＵＥ、Ｕｓｅｒ  Ｅｑｕｉｐｍｅｎｔ）に固定な上り・下り伝送リソースを割り当てて、ＵＥが周期的に割り当てられたリソースを使用してデータ伝送を行うことを意味する。具体的に、基地局は、初期スケジューリングする際に、狭帯域物理下り制御チャネル（ＮＰＤＣＣＨ、Ｎａｒｒｏｗ  Ｂａｎｄ  Ｐｈｙｓｉｃａｌ  Ｄｏｗｎｌｉｎｋ  Ｃｏｎｔｒｏｌ  Ｃｈａｎｎｅｌ）によりユーザ機器（ＵＥ、Ｕｓｅｒ  Ｅｑｕｉｐｍｅｎｔ）に現在の下り制御情報（ＤＣＩ、Ｄｏｗｎｌｉｎｋ  Ｃｏｎｔｒｏｌ  Ｉｎｆｏｒｍａｔｉｏｎ）を指示し、ＤＣＩには、リソースブロック（ＲＢ、Ｒｅｓｏｕｒｃｅ  Ｂｌｏｃｋ）情報、変調符号化方式（ＭＣＳ、Ｍｏｄｕｌａｔｉｏｎ  ａｎｄ  Ｃｏｄｉｎｇ  Ｓｃｈｅｍｅ）情報、ハイブリッド自動再送要求（ＨＡＲＱ、Ｈｙｂｉｒｄ  Ａｕｔｏｍａｔｉｃ  Ｒｅｐｅａｔ  Ｒｅｑｕｅｓｔ）情報等が含まれてもよい。ＵＥは、ＤＣＩにおける巡回冗長検証（ＣＲＣ、ＣｙｃｌｉｃＲｅｄｕｎｄａｎｃｙＣｈｅｃｋ）のスクランブリング方式に基づいて、準静的スケジューリングであるかを識別し、ここで、ＤＣＩにおけるＣＲＣが準静的セル無線ネットワーク識別子（ＳＰＳ  Ｃ−ＲＮＴＩ、ＳＰＳ  Ｃｅｌｌ−ＲａｄｉｏＮｅｔｗｏｒｋＴｅｍｐｏｒａｒｙＩｄｅｎｔｉｆｉｅｒ）でスクランブリングされる場合、ＵＥは、ＤＣＩにＳＰＳのスケジューリング情報が含まれていると認識し、現在のＳＰＳスケジューリング情報に基づいて、固定な周期ごとに同じ時間・周波数リソース位置でデータの送受信を行う。そして、ＵＥがＳＰＳのデアクティブに関する情報を受信すると、前記準静的スケジューリングを停止する。【０００４】  そのため、ＮＢ−ＩｏＴでＳＰＳのアクティブ及び／又はデアクティブを効果的に特定する方法が必要である。
【課題を解決するための手段】
【０００５】  本発明の一態様によれば、ＳＰＳのアクティブ特定方法であって、前記ＳＰＳがアクティブであるかを暗黙的に指示する下り制御情報（ＤＣＩ）を受信することと、受信したＤＣＩの指示に基づいて前記ＳＰＳがアクティブであるかを特定することと、を含む、ＳＰＳのアクティブ特定方法を提供する。【０００６】  本発明の別の態様によれば、ＳＰＳのアクティブ特定方法であって、データチャネルにおける上位層制御エレメントを検知することと、前記上位層制御エレメントの指示に基づいて前記ＳＰＳがアクティブであるかを特定することと、を含む、ＳＰＳのアクティブ特定方法を提供する。
本発明の別の態様によれば、ＳＰＳのアクティブ特定方法であって、下り制御情報（ＤＣＩ）を受信することと、前記ＤＣＩにおける特定フィールドの値と前記ＳＰＳのアクティブ及び／又はデアクティブとの対応関係に基づいて、前記ＳＰＳがアクティブであるかを特定することと、を含む、ＳＰＳのアクティブ特定方法を提供する。【０００７】  本発明の別の態様によれば、ＵＥであって、前記ＳＰＳがアクティブであるかを暗黙的に指示する下り制御情報（ＤＣＩ）を受信するように配置される受信部と、受信したＤＣＩの指示に基づいて前記ＳＰＳがアクティブであるかを特定するように配置される決特定部と、を含む、ＵＥを提供する。【０００８】  本発明のさらに別の態様によれば、ＵＥであって、データチャネルにおける上位層制御エレメントを検知するように配置される検知部と、前記上位層制御エレメントの指示に基づいて前記ＳＰＳがアクティブであるかを特定するように配置される特定部と、を含む、ＵＥを提供する。【０００９】  本発明の別の態様によれば、ＵＥであって、下り制御情報（ＤＣＩ）を受信するように配置される受信部と、前記ＤＣＩにおける特定フィールドの値と前記ＳＰＳのアクティブ及び／又はデアクティブとの対応関係に基づいて、前記ＳＰＳがアクティブであるかを特定するように配置される特定部と、を含む、ＵＥを提供する。【００１０】  本発明の別の態様によれば、ＳＰＳのアクティブ指示方法であって、前記ＳＰＳがアクティブであるかを暗黙的に指示する下り制御情報（ＤＣＩ）を生成することと、ＵＥが受信したＤＣＩの指示に基づいて前記ＳＰＳがアクティブであるかを特定するように、前記ＤＣＩを送信することと、を含む、ＳＰＳのアクティブ指示方法を提供する。【００１１】  本発明の別の態様によれば、ＳＰＳのアクティブ指示方法であって、上位層制御エレメントを生成することと、ＵＥが前記上位層制御エレメントの指示に基づいて前記ＳＰＳがアクティブであるかを特定するように、データチャネルで前記上位層制御エレメントを送信することと、を含む、ＳＰＳのアクティブ指示方法を提供する。【００１２】  本発明の別の態様によれば、ＳＰＳのアクティブ指示方法であって、下り制御情報（ＤＣＩ）を生成することと、ＵＥが前記ＤＣＩにおける特定フィールドの値と前記ＳＰＳのアクティブ及び／又はデアクティブとの対応関係に基づいて、前記ＳＰＳがアクティブであるかを特定するように、前記ＤＣＩを送信することと、を含む、ＳＰＳのアクティブ指示方法を提供する。【００１３】  本発明の別の態様によれば、基地局であって、前記ＳＰＳがアクティブであるかを暗黙的に指示する下り制御情報（ＤＣＩ）を生成するように配置される生成部と、ＵＥが受信したＤＣＩの指示に基づいて前記ＳＰＳがアクティブであるかを特定するように、前記ＤＣＩを送信するように配置される送信部と、を含む、基地局を提供する。【００１４】  本発明の別の態様によれば、基地局であって、上位層制御エレメントを生成するように配置される生成部と、ＵＥが前記上位層制御エレメントの指示に基づいて前記ＳＰＳがアクティブであるかを特定するように、データチャネルで前記上位層制御エレメントを送信するように配置される��信部と、を含む、基地局を提供する。【００１５】  本発明の別の態様によれば、基地局であって、下り制御情報（ＤＣＩ）を生成するように配置される生成部と、ＵＥが前記ＤＣＩにおける特定フィールドの値と前記ＳＰＳのアクティブ及び／又はデアクティブとの対応関係に基づいて、前記ＳＰＳがアクティブであるかを特定するように、前記ＤＣＩを送信するように配置される送信部と、を含む、基地局を提供する。【００１６】  本発明の上記態様によるＳＰＳのアクティブ特定方法及び指示方法、並びに対応のユーザ機器及び基地局を利用して、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【図面の簡単な説明】
【００１７】  図面を参照しながら本発明の実施例を詳細に説明し、本発明の上記及びその他の目的、特徴、利点をより明らかにする。【００１８】
【図１】ＬＴＥにおけるＭＣＳ対応テーブルを示す。
【図２】ＮＢ−ｌｏＴにおけるＭＣＳ対応テーブル及ＭＣＳ除去状態の一例を示す。
【図３】ＮＢ−ｌｏＴにおけるＭＣＳ対応テーブル及ＭＣＳ除去状態の別の例を示す。
【図４】本発明の第１の実施例によるＵＥにより実行されるＳＰＳのアクティブ特定方法のフローチャートを示す。
【図５】アグリゲーションレベルが１である場合の、６つのＤＣＩ候補リソースブロックのうちいずれか２つのリソースブロックのリソース位置とＳＰＳのアクティブ／デアクティブとの対応関係を示す。
【図６】ＮＰＤＳＣＨ／ＮＰＵＳＣＨにおけるデータの時間・周波数リソース位置とＳＰＳのアクティブ／デアクティブとの対応関係を示す。
【図７】本発明の第１の実施例によるＵＥのブロック図を示す。
【図８】本発明の第１の実施例による基地局により実行されるＳＰＳのアクティブ指示方法のフローチャートを示す。
【図９】本発明の第１の実施例による基地局のブロック図を示す。
【図１０】本発明の第２の実施例によるＵＥにより実行されるＳＰＳのアクティブ特定方法のフローチャートを示す。
【図１１】ＮＰＤＳＣＨにおけるＭＡＣ  ＣＥの構造概略図を示す。
【図１２】本発明の第２の実施例によるＵＥのブロック図を示す。
【図１３】本発明の第２の実施例による基地局により実行されるＳＰＳのアクティブ指示方法のフローチャートを示す。
【図１４】本発明の第２の実施例による基地局のブロック図を示す。
【図１５】本発明の第３の実施例によるＵＥにより実行されるＳＰＳのアクティブ特定方法のフローチャートを示す。
【図１６】ＮＢ−ＩｏＴにおけるＭＣＳとＭＣＳインデックスとの間の対応関係を示す。
【図１７】ＮＢ−ＩｏＴにおける本発明の第３の実施例によるＭＣＳとＭＣＳインデックスとの間の対応関係を示す。
【図１８】本発明の第３の実施例によるＵＥのブロック図を示す。
【図１９】本発明の第３の実施例による基地局により実行されるＳＰＳのアクティブ指示方法のフローチャートを示す。
【図２０】本発明の第３の実施例による基地局のブロック図を示す。
【図２１】本発明の実施例による基地局及びユーザ機器のハードウェア構成の例示を示す図である。
【発明を実施するための形態】
【００１９】  以下に、本発明の実施例によるＳＰＳのアクティブ特定方法及び指示方法、並びに対応のユーザ機器及び基地局を、添付の図面を参照して説明する。図面において、同じ符号は全体を通して同じ要素を示す。なお、ここで記載される実施例は単に例示的なものであり、本開示の範囲を限定するものとして解釈されるべきではないことを理解されたい。
【００２０】  ＬＴＥで、ＳＰＳのアクティブ／デアクティブは、ＤＣＩにおけるＭＣＳインデックスの最上位ビット（ＭＳＢ、Ｍｏｓｔ  ｓｉｇｎｉｆｉｃａｎｔ  ｂｉｔ）で指示される。具体的に、ＭＣＳを指示するＭＣＳインデックスフィールドを５ビットから４ビットに削減して、４ビットのみでＭＣＳを表す。このような場合に、図１に示すように、ＭＣＳ対応テーブルにおいて、当該ＭＣＳインデックスにより示される状態が５ビットで指示される２９つの状態０−２８（３つの予約フィールド２９−３１をさらに含む。）から４ビットで指示される１６つの状態に削減される。図１で例示されるＭＣＳ対応テーブルにおいて、ビットの削減により、高次ＭＣＳ状態が除去され、取得したＭＣＳインデックスにおけるＭＳＢは、ＳＰＳのアクティブ／デアクティブを指示するために用いられる。例えば、ＭＳＢのビット値が０である時にＳＰＳのアクティブを指示し、ＭＳＢのビット値が１である時にＳＰＳのデアクティブを指示できるように用いられる。
【００２１】  しかしながら、ＮＢ−ｌｏＴでは、ＭＣＳは、上記ＬＴＥにおけるＳＰＳのアクティブ／デアクティブの指示方式をそのまま利用することが困難となる。ＬＴＥと比較して、ＮＢ−ｌｏＴにおけるＭＣＳインデックスが４ビットしかなく、ビットを削減する（例えば、４ビットから３ビットに削減する）方式により１ビットの冗長を取得してＳＰＳのアクティブ／デアクティブを指示するようにすると、３ビットで最大８つのＭＣＳ状態を指示する必要がある。このような場合に、１１つのＭＣＳ状態における少なくとも３つの高次又は低次ＭＣＳ状態を除去しなければならないと考えられる。具体的に、図２に示すように、３つの高次ＭＣＳ状態を除去する場合、より多くのＣＲＣビット数及びトランスポートブロック数が必要となり、それにより過多なシステムリソースを占有し、リソースの浪費が更に大きくなる恐れがある。図３に示すように、３つの低次ＭＣＳ状態を除去する場合も、過多な繰り返しの冗長ビットが生成され、それによりデータパケットのサイズを増加させ、リソースの浪費につながる恐れがある。
【００２２】  そのため、本発明では、ＮＢ−ＩｏＴにおいて正確的かつ効果的にＳＰＳのアクティブ及び／又はデアクティブを指示及び特定するために、以下のような発明を実施するための形態を提案する。
【００２３】  第１の実施例
まず、図４を参照しながら、本発明の第１の実施例によるＵＥにより実行されるＳＰＳのアクティブ特定方法を説明する。図４は、当該ＳＰＳのアクティブ特定方法４００のフローチャートを示す。
【００２４】  図４に示すように、ステップＳ４０１では、前記ＳＰＳがアクティブであるかを暗黙的に指示する下り制御情報（ＤＣＩ）を受信する。
【００２５】  本発明の一例では、ＤＣＩにより前記ＳＰＳがアクティブであるかを暗黙的に指示する方式は、ＣＲＣをスクランブリングする無線ネットワーク一時的識別子に基づいてＳＰＳがアクティブであるかを暗黙的に指示することができる。具体的に、基地局とＵＥとの間に、予めスクランブリングのための２つの無線ネットワーク一時的識別子を定義することができ、例えば、ＳＰＳ  Ｃ−ＲＮＴＩ１によりＳＰＳのアクティブを示し、ＳＰＳ  Ｃ−ＲＮＴＩ２によりＳＰＳのデアクティブを表す。これにより、ＵＥが基地局から送信される該当のＤＣＩを受信すると、ＳＰＳ  Ｃ−ＲＮＴＩ１及びＳＰＳ  Ｃ−ＲＮＴＩ２によりそれぞれにＣＲＣをデスクランブル検証し、正確的にデスクランブルできる無線ネットワーク一時的識別子に対応するＳＰＳのアクティブ／デアクティブの状態は、ＤＣＩで指示されるＳＰＳのアクティブ／デアクティブの状態である。例えば、無線ネットワーク一時的識別子ＳＰＳ  Ｃ−ＲＮＴＩ１により現在のＤＣＩのＣＲＣを正確的にデスクランブルできる場合、ＤＣＩは、ＳＰＳのアクティブを指示し、無線ネットワーク一時的識別子ＳＰＳ  Ｃ−ＲＮＴＩ２により現在のＤＣＩのＣＲＣを正確的にデスクランブルできる場合、ＤＣＩは、ＳＰＳのデアクティブを指示する。
【００２６】  本発明の別の例では、ＤＣＩにより前記ＳＰＳがアクティブであるかを暗黙的に指示する方式は、ＤＣＩが位置するリソース位置に基づいて前記ＳＰＳがアクティブであるかを暗黙的に指示することができる。図５は、アグリゲーションレベル（ＡＬ、ａｇｇｒｅｇａｔｉｏｎ  ｌｅｖｅｌ）が１である時の、６つのＤＣＩ候補リソース位置のうちいずれか２つのリソース位置とＳＰＳのアクティブ／デアクティブとの対応関係を示す図である。つまり、ＤＣＩがＳＰＳのアクティブを示すリソース位置にある場合、ＳＰＳのアクティブを指示し、ＤＣＩがＳＰＳのデアクティブを示すリソース位置にある場合、ＳＰＳのデアクティブを指示する。図５に示すように、５番目のリソース位置は、ＳＰＳのアクティブを表すために用いられ、６番目のリソース位置は、ＳＰＳのデアクティブを表すために用いられる。図５で示される例では、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。図５のリソース位置とＳＰＳのアクティブ／デアクティブとの対応関係は、例示に過ぎない。実際の適用では、いずれか一つ又は複数のＤＣＩのリソース位置を選択してＳＰＳのアクティブ／デアクティブを表すことができ、リソース伝送のアグリゲーションレベルも任意の値、例えば１、２、４、８等であってもよい。
【００２７】  本発明の別の例では、ＤＣＩにより前記ＳＰＳがアクティブであるかを暗黙的に指示する方式は、ＤＣＩにより指示されるデータチャネルのリソース位置に基づいて前記ＳＰＳがアクティブであるかを特定することができ、ここで、前記リソース位置は、時間リソースであってもよく、周波数リソースであってもよく、時間・周波数リソースであってもよい。具体的に、図６に示すように、予め狭帯域物理下り共有チャネル（ＮＰＤＳＣＨ、Ｎａｒｒｏｗ  ｂａｎｄ  Ｐｈｙｓｉｃａｌ  Ｄｏｗｎｌｉｎｋ  Ｓｈａｒｅｄ  Ｃｈａｎｎｅｌ）／狭帯域物理上り共有チャネル（ＮＰＵＳＣＨ、Ｎａｒｒｏｗ  ｂａｎｄ  Ｐｈｙｓｉｃａｌ  ｕｐｌｉｎｋ  Ｓｈａｒｅｄ  Ｃｈａｎｎｅｌ）で伝送されるデータの時間・周波数リソース位置とＳＰＳのアクティブ／デアクティブとの対応関係を設定することにより、ＳＰＳがアクティブであるかを暗黙的に指示することができる。具体的には、第１のリソース位置は、ＳＰＳのアクティブを指示するために用いられ、第２のリソース位置は、ＳＰＳのデアクティブを指示するために用いられる。それに応じて、ＵＥが基地局から送信される該当のＤＣＩを受信すると、ＤＣＩで指示される相応のデータチャネルのリソース位置により、ＳＰＳのアクティブ／デアクティブを判断することができる。例えば、図６で示されるＮＰＤＳＣＨにおけるデータが第１のリソース位置にある場合、ＳＰＳがアクティブであり、ＤＣＩにより指示されるＮＰＤＳＣＨにおけるデータが第２のリソース位置にある場合、ＳＰＳがデアクティブである。
【００２８】  ステップＳ４０２では、受信したＤＣＩの指示に基づいて前記ＳＰＳがアクティブであるかを特定する。
【００２９】  上記のステップＳ４０１に記載されるように、ＤＣＩがＣＲＣにおけるスクランブリングのための無線ネットワーク一時的識別子に基づいてＳＰＳがアクティブであるかを暗黙的に指示する場合、ＵＥは、ＣＲＣを正確的にデスクランブルする際に得られた無線ネットワーク一時的識別子（ＳＰＳ  Ｃ−ＲＮＴＩ１又はＳＰＳ  Ｃ−ＲＮＴＩ２）により、ＳＰＳのアクティブ／デアクティブを判断することができる。例えば、無線ネットワーク一時的識別子ＳＰＳ  Ｃ−ＲＮＴＩ１により現在のＤＣＩのＣＲＣを正確的にデスクランブルできる場合、ＳＰＳがアクティブであり、無線ネットワーク一時的識別子ＳＰＳ  Ｃ−ＲＮＴＩ２により現在のＤＣＩのＣＲＣを正確的にデスクランブルできる場合、ＳＰＳがデアクティブである。
【００３０】  ＤＣＩが位置するリソース位置に基づいて前記ＳＰＳがアクティブであるかを暗黙的に指示する場合、ＵＥは、受信したＤＣＩが位置するリソース位置とＳＰＳのアクティブ／デアクティブとの対応関係によりＳＰＳのアクティブ／デアクティブを判断することができる。例えば、図５に示すように、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。
【００３１】  ＤＣＩにより指示されるデータチャネルのリソース位置に基づいて前記ＳＰＳがアクティブであるかを特定する場合、ＵＥは、ＤＣＩで指示される該当のデータチャネル（ＮＰＤＳＣＨ／ＮＰＵＳＣＨ）のリソース位置とＳＰＳのアクティブ／デアクティブとの対応関係により、ＳＰＳのアクティブ／デアクティブを判断することができる。例えば、図６に示すように、ＵＥがＤＣＩによって指示されるＮＰＤＳＣＨにおけるデータが第１のリソース位置にあることを認知する場合、ＳＰＳがアクティブであり、ＵＥがＤＣＩによって指示されるＮＰＤＳＣＨにおけるデータが第２のリソース位置にあることを認知する場合、ＳＰＳがデアクティブである。
【００３２】  本発明の実施例によるＳＰＳのアクティブ特定方法によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上できる。
【００３３】  以下、図７を参照しながら、本発明による実施例のＵＥを説明する。図７は、本発明による第１の実施例のＵＥ７００のブロック図を示す。図７に示すように、ＵＥ７００は、受信部７１０と、特定部７２０とを含む。ＵＥ７００は、この２つの部に加えて、他の部材をさらに含むことができるが、このような部材が本発明の実施例の内容に関連しないため、ここでは図示及び説明を省略する。また、本発明の実施例によるＵＥ７００により実行される以下の動作の具体的な詳細は、図４−図６を参照しながら上記で記載されたものと同じであるため、繰り返しを避けるようにここで同じ詳細の説明を省略する。
【００３４】  図７における受信部７１０は、前記ＳＰＳがアクティブであるかを暗黙的に指示する下り制御情報（ＤＣＩ）を受信する。
【００３５】  本発明の一例では、ＤＣＩにより前記ＳＰＳがアクティブであるかを暗黙的に指示する方式は、ＣＲＣをスクランブリングする無線ネットワーク一時的識別子に基づいてＳＰＳがアクティブであるかを暗黙的に指示することができる。具体的に、基地局とＵＥとの間に、予めスクランブリングのための２つの無線ネットワーク一時的識別子を定義することができ、例えば、ＳＰＳ  Ｃ−ＲＮＴＩ１によりＳＰＳのアクティブを示し、ＳＰＳ  Ｃ−ＲＮＴＩ２によりＳＰＳのデアクティブを示す。これにより、ＵＥが基地局から送信される該当のＤＣＩを受信すると、ＳＰＳ  Ｃ−ＲＮＴＩ１及びＳＰＳ  Ｃ−ＲＮＴＩ２によりそれぞれＣＲＣをデスクランブル検証し、正確的にデスクランブルできる無線ネットワーク一時的識別子に対応するＳＰＳのアクティブ／デアクティブの状態が、ＤＣＩで指示されるＳＰＳのアクティブ／デアクティブの状態である。例えば、無線ネットワーク一時的識別子ＳＰＳ  Ｃ−ＲＮＴＩ１により現在のＤＣＩのＣＲＣを正確的にデスクランブルできる場合、ＤＣＩは、ＳＰＳのアクティブを指示し、無線ネットワーク一時的識別子ＳＰＳ  Ｃ−ＲＮＴＩ２により現在のＤＣＩのＣＲＣを正確的にデスクランブルできる場合、ＤＣＩは、ＳＰＳのデアクティブを指示する。
【００３６】  本発明の別の例では、ＤＣＩにより前記ＳＰＳがアクティブであるかを暗黙的に指示する方式は、ＤＣＩが位置するリソース位置に基づいて前記ＳＰＳがアクティブであるかを暗黙的に指示することができる。図５は、アグリゲーションレベル（ＡＬ、ａｇｇｒｅｇａｔｉｏｎ  ｌｅｖｅｌ）が１である時の、６つのＤＣＩ候補リソース位置のうちいずれか２つのリソース位置とＳＰＳのアクティブ／デアクティブとの対応関係を示す図である。つまり、ＤＣＩがＳＰＳのアクティブを表すリソース位置にある場合、ＳＰＳのアクティブを指示し、ＤＣＩがＳＰＳのデアクティブを表すリソース位置にある場合、ＳＰＳのデアクティブを指示する。図５に示すように、５番目のリソース位置は、ＳＰＳのアクティブを表すために用いられ、６番目のリソース位置は、ＳＰＳのデアクティブを表すために用いられる。図５で示される例では、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。図５のリソース位置とＳＰＳのアクティブ／デアクティブとの対応関係は、例示に過ぎない。実際の適用では、任意の一つ又は複数のＤＣＩのリソース位置を選択してＳＰＳのアクティブ／デアクティブを表すことができ、リソース伝送のアグリゲーションレベルも任意の値、例えば１、２、４、８等であってもよい。
【００３７】  本発明の別の例では、ＤＣＩにより前記ＳＰＳがアクティブであるかを暗黙的に指示する方式は、ＤＣＩにより指示されるデータチャネルのリソース位置に基づいて前記ＳＰＳがアクティブであるかを特定することができ、ここで、前記リソース位置は、時間リソースであってもよく、周波数リソースであってもよく、時間・周波数リソースであってもよい。具体的に、図６に示すように、予め狭帯域物理下り共有チャネル（ＮＰＤＳＣＨ、Ｎａｒｒｏｗ  ｂａｎｄ  Ｐｈｙｓｉｃａｌ  Ｄｏｗｎｌｉｎｋ  Ｓｈａｒｅｄ  Ｃｈａｎｎｅｌ）／狭帯域物理上り共有チャネル（ＮＰＵＳＣＨ、Ｎａｒｒｏｗ  ｂａｎｄ  Ｐｈｙｓｉｃａｌ  ｕｐｌｉｎｋ  Ｓｈａｒｅｄ  Ｃｈａｎｎｅｌ）で伝送されるデータの時間・周波数リソース位置とＳＰＳのアクティブ／デアクティブとの対応関係を設定することにより、ＳＰＳがアクティブであるかを暗黙的に指示することができる。具体的に、第１のリソース位置は、ＳＰＳのアクティブを指示するために用いられ、第２のリソース位置は、ＳＰＳのデアクティブを指示するために用いられる。それに応じて、ＵＥが基地局から送信される該当のＤＣＩを受信すると、ＤＣＩで指示される該当のデータチャネルのリソース位置により、ＳＰＳのアクティブ／デアクティブを判断することができる。例えば、図６で示されるＤＣＩにより指示されるＮＰＤＳＣＨにおけるデータが第１のリソース位置にある場合、ＳＰＳがアクティブであり、ＤＣＩにより指示されるＮＰＤＳＣＨにおけるデータが第２のリソース位置にある場合、ＳＰＳがデアクティブである。
【００３８】  特定部７２０は、受信したＤＣＩの指示に基づいて前記ＳＰＳがアクティブであるかを特定する。
【００３９】  前記のように、ＤＣＩによりＣＲＣにおけるスクランブリングのための無線ネットワーク一時的識別子に基づいてＳＰＳがアクティブであるかを暗黙的に指示する場合、特定部７２０は、ＣＲＣを正確的にデスクランブルする際に得られた無線ネットワーク一時的識別子（ＳＰＳ  Ｃ−ＲＮＴＩ１又はＳＰＳ  Ｃ−ＲＮＴＩ２）により、ＳＰＳのアクティブ／デアクティブを判断することができる。例えば、無線ネットワーク一時的識別子ＳＰＳ  Ｃ−ＲＮＴＩ１により現在のＤＣＩのＣＲＣを正確的にデスクランブルできる場合、ＳＰＳがアクティブであり、無線ネットワーク一時的識別子ＳＰＳ  Ｃ−ＲＮＴＩ２により現在のＤＣＩのＣＲＣを正確的にデスクランブルできる場合、ＳＰＳがデアクティブである。
【００４０】  ＤＣＩが位置するリソース位置に基づいて前記ＳＰＳがアクティブであるかを暗黙的に指示する場合、特定部７２０は、受信したＤＣＩが位置するリソース位置とＳＰＳのアクティブ／デアクティブとの対応関係によりＳＰＳのアクティブ／デアクティブを判断することができる。例えば、図５に示すように、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。
【００４１】  ＤＣＩにより指示されるデータチャネルのリソース位置に基づいて前記ＳＰＳがアクティブであるかを特定する場合、特定部７２０は、ＤＣＩで指示される該当のデータチャネル（ＮＰＤＳＣＨ／ＮＰＵＳＣＨ）のリソース位置とＳＰＳのアクティブ／デアクティブとの対応関係により、ＳＰＳのアクティブ／デアクティブを判断することができる。例えば、図６に示すように、ＵＥがＤＣＩにより指示されるＮＰＤＳＣＨにおけるデータが第１のリソース位置にあることを認知する場合、ＳＰＳがアクティブであり、ＵＥがＤＣＩにより指示されるＮＰＤＳＣＨにおけるデータが第２のリソース位置にあることを認知する場合、ＳＰＳがデアクティブである。
【００４２】  本発明の実施例によるＵＥによれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００４３】  以下、図８を参照しながら、本発明の第１の実施例による基地局により実行されるＳＰＳのアクティブによる方法を説明する。図８は、当該ＳＰＳのアクティブ指示方法８００のフローチャートを示す。
【００４４】  図８に示すように、ステップＳ８０１では、前記ＳＰＳがアクティブであるかを暗黙的に指示する下り制御情報（ＤＣＩ）を生成する。
【００４５】  本発明の一例では、ＤＣＩにより前記ＳＰＳがアクティブであるかを暗黙的に指示する方式は、ＣＲＣをスクランブリングする無線ネットワーク一時的識別子に基づいてＳＰＳがアクティブであるかを暗黙的に指示することができる。具体的に、基地局とＵＥとの間に、予めスクランブリングのための２つの無線ネットワーク一時的識別子を定義することができ、例えば、ＳＰＳ  Ｃ−ＲＮＴＩ１によりＳＰＳのアクティブを示し、ＳＰＳ  Ｃ−ＲＮＴＩ２によりＳＰＳのデアクティブを表す。これにより、ＵＥが基地局から送信される該当のＤＣＩを受信すると、ＳＰＳ  Ｃ−ＲＮＴＩ１及びＳＰＳ  Ｃ−ＲＮＴＩ２によりそれぞれＣＲＣをデスクランブル検証し、正確的にデスクランブルできる無線ネットワーク一時的識別子に対応するＳＰＳのアクティブ／デアクティブの状態が、ＤＣＩで指示されるＳＰＳのアクティブ／デアクティブの状態である。例えば、無線ネットワーク一時的識別子ＳＰＳ  Ｃ−ＲＮＴＩ１により現在のＤＣＩのＣＲＣを正確的にデスクランブルできる場合、ＤＣＩは、ＳＰＳのアクティブを指示し、無線ネットワーク一時的識別子ＳＰＳ  Ｃ−ＲＮＴＩ２により現在のＤＣＩのＣＲＣを正確的にデスクランブルできる場合、ＤＣＩは、ＳＰＳのデアクティブを指示する。
【００４６】  本発明の別の例では、ＤＣＩにより前記ＳＰＳがアクティブであるかを暗黙的に指示する方式は、ＤＣＩが位置するリソース位置に基づいて前記ＳＰＳがアクティブであるかを暗黙的に指示することができる。図５は、アグリゲーションレベル（ＡＬ、ａｇｇｒｅｇａｔｉｏｎ  ｌｅｖｅｌ）が１である時の、６つのＤＣＩ候補リソース位置のうちいずれか２つのリソース位置とＳＰＳのアクティブ／デアクティブとの対応関係を示す。つまり、ＤＣＩがＳＰＳのアクティブを表すリソース位置にある場合、ＳＰＳのアクティブを指示し、ＤＣＩがＳＰＳのデアクティブを表すリソース位置にある場合、ＳＰＳのデアクティブを指示する。図５に示すように、５番目のリソース位置は、ＳＰＳのアクティブを表すために用いられ、６番目のリソース位置は、ＳＰＳのデアクティブを表すために用いられる。図５で示される例では、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。図５のリソース位置とＳＰＳのアクティブ／デアクティブとの対応関係は、例示に過ぎない。実際の適用では、任意の一つ又は複数のＤＣＩのリソース位置を選択してＳＰＳのアクティブ／デアクティブを表すことができ、リソース伝送のアグリゲーションレベルも任意の値、例えば１、２、４、８等であってもよい。
【００４７】  本発明の別の例では、ＤＣＩにより前記ＳＰＳがアクティブであるかを暗黙的に指示する方式は、ＤＣＩにより指示されるデータチャネルのリソース位置に基づいて前記ＳＰＳがアクティブであるかを特定することができ、ここで、前記リソース位置は、時間リソースであってもよく、周波数リソースであってもよく、時間・周波数リソースであってもよい。具体的に、図６に示すように、予め狭帯域物理下り共有チャネル（ＮＰＤＳＣＨ、Ｎａｒｒｏｗ  ｂａｎｄ  Ｐｈｙｓｉｃａｌ  Ｄｏｗｎｌｉｎｋ  Ｓｈａｒｅｄ  Ｃｈａｎｎｅｌ）／狭帯域物理上り共有チャネル（ＮＰＵＳＣＨ、Ｎａｒｒｏｗ  ｂａｎｄ  Ｐｈｙｓｉｃａｌ  ｕｐｌｉｎｋ  Ｓｈａｒｅｄ  Ｃｈａｎｎｅｌ）で伝送されるデータの時間・周波数リソース位置とＳＰＳのアクティブ／デアクティブとの対応関係を設定することにより、ＳＰＳがアクティブであるかを暗黙的に指示することができる。具体的に、第１のリソース位置は、ＳＰＳのアクティブを指示するために用いられ、第２のリソース位置は、ＳＰＳのデアクティブを指示するために用いられる。それに応じて、ＵＥが基地局から送信される該当のＤＣＩを受信すると、ＤＣＩで指示される該当のデータチャネルのリソース位置により、ＳＰＳのアクティブ／デアクティブを判断することができる。例えば、図６で示されるＤＣＩにより指示されるＮＰＤＳＣＨにおけるデータが第１のリソース位置にある場合、ＳＰＳがアクティブであり、ＤＣＩにより指示されるＮＰＤＳＣＨにおけるデータが第２のリソース位置にある場合、ＳＰＳがデアクティブである。
【００４８】  ステップＳ８０２では、ＵＥが受信したＤＣＩの指示に基づいて前記ＳＰＳがアクティブであるかを特定するように、前記ＤＣＩを送信する。
【００４９】  上記のステップＳ８０１に記載されるように、ＤＣＩがＣＲＣにおけるスクランブリングのための無線ネットワーク一時的識別子に基づいてＳＰＳがアクティブであるかを暗黙的に指示する場合、ＵＥは、ＣＲＣを正確的にデスクランブルする際に得られた無線ネットワーク一時的識別子（ＳＰＳ  Ｃ−ＲＮＴＩ１又はＳＰＳ  Ｃ−ＲＮＴＩ２）により、ＳＰＳのアクティブ／デアクティブを判断することができる。例えば、無線ネットワーク一時的識別子ＳＰＳ  Ｃ−ＲＮＴＩ１により現在のＤＣＩのＣＲＣを正確的にデスクランブルできる場合、ＳＰＳがアクティブであり、無線ネットワーク一時的識別子ＳＰＳ  Ｃ−ＲＮＴＩ２により現在のＤＣＩのＣＲＣを正確的にデスクランブルできる場合、ＳＰＳがデアクティブである。
【００５０】  ＤＣＩが位置するリソース位置に基づいて前記ＳＰＳがアクティブであるかを暗黙的に指示する場合、ＵＥは、受信したＤＣＩが位置するリソース位置とＳＰＳのアクティブ／デアクティブとの対応関係によりＳＰＳのアクティブ／デアクティブを判断することができる。例えば、図５に示すように、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。
【００５１】  ＤＣＩにより指示されるデータチャネルのリソース位置に基づいて前記ＳＰＳがアクティブであるかを特定する場合、ＵＥは、ＤＣＩで指示される該当のデータチャネル（ＮＰＤＳＣＨ／ＮＰＵＳＣＨ）のリソース位置とＳＰＳのアクティブ／デアクティブとの対応関係により、ＳＰＳのアクティブ／デアクティブを判断することができる。例えば、図６に示すように、ＵＥがＤＣＩにより指示されるＮＰＤＳＣＨにおけるデータが第１のリソース位置にあることを認知する場合、ＳＰＳがアクティブであり、ＵＥがＤＣＩにより指示されるＮＰＤＳＣＨにおけるデータが第２のリソース位置にあることを認知する場合、ＳＰＳがデアクティブである。
【００５２】  本発明の実施例によるＳＰＳのアクティブ指示方法によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００５３】  以下、図９を参照しながら、本発明の実施例による基地局を説明する。図９は、本発明の第１の実施例による基地局９００のブロック図を示す。図９に示すように、基地局９００は、生成部９１０と、送信部９２０とを含む。基地局９００は、この２つの部に加えて、他の部材をさらに含むことができるが、このような部材が本発明の実施例の内容に関連しないため、ここでは図示及び説明を省略する。また、本発明の実施例による基地局９００により実行される以下の動作の具体的な詳細は、図８を参照しながら上記で記載されたものと同じであるため、繰り返しを避けるようにここでは同じ詳細の説明を省略する。
【００５４】  図９における生成部９１０は、前記ＳＰＳがアクティブであるかを暗黙的に指示する下り制御情報（ＤＣＩ）を生成するように配置される。
【００５５】  本発明の一例では、ＤＣＩにより前記ＳＰＳがアクティブであるかを暗黙的に指示する方式は、ＣＲＣをスクランブリングする無線ネットワーク一時的識別子に基づいてＳＰＳがアクティブであるかを暗黙的に指示することができる。具体的に、基地局とＵＥとの間に、予めスクランブリングのための２つの無線ネットワーク一時的識別子を定義することができ、例えば、ＳＰＳ  Ｃ−ＲＮＴＩ１によりＳＰＳのアクティブを表し、ＳＰＳ  Ｃ−ＲＮＴＩ２によりＳＰＳのデアクティブを表す。これにより、ＵＥが基地局から送信される該当のＤＣＩを受信すると、ＳＰＳ  Ｃ−ＲＮＴＩ１及びＳＰＳ  Ｃ−ＲＮＴＩ２によりそれぞれＣＲＣをデスクランブル検証し、正確的にデスクランブルできる無線ネットワーク一時的識別子に対応するＳＰＳのアクティブ／デアクティブの状態が、ＤＣＩで指示されるＳＰＳのアクティブ／デアクティブの状態である。例えば、無線ネットワーク一時的識別子ＳＰＳ  Ｃ−ＲＮＴＩ１により現在のＤＣＩのＣＲＣを正確的にデスクランブルできる場合、ＤＣＩは、ＳＰＳのアクティブを指示し、無線ネットワーク一時的識別子ＳＰＳ  Ｃ−ＲＮＴＩ２により現在のＤＣＩのＣＲＣを正確的にデスクランブルできる場合、ＤＣＩは、ＳＰＳのデアクティブを指示する。
【００５６】  本発明の別の例では、ＤＣＩにより前記ＳＰＳがアクティブであるかを暗黙的に指示する方式は、ＤＣＩが位置するリソース位置に基づいて前記ＳＰＳがアクティブであるかを暗黙的に指示することができる。図５は、アグリゲーションレベル（ＡＬ、ａｇｇｒｅｇａｔｉｏｎ  ｌｅｖｅｌ）が１である時の、６つのＤＣＩ候補リソース位置のうちいずれか２つのリソース位置とＳＰＳのアクティブ／デアクティブとの対応関係を示す。つまり、ＤＣＩがＳＰＳのアクティブを表すリソース位置にある場合、ＳＰＳのアクティブを指示し、ＤＣＩがＳＰＳのデアクティブを表すリソース位置にある場合、ＳＰＳのデアクティブを指示する。図５に示すように、５番目のリソース位置は、ＳＰＳのアクティブを表すために用いられ、６番目のリソース位置は、ＳＰＳのデアクティブを表すために用いられる。図５で示される例では、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。図５のリソース位置とＳＰＳのアクティブ／デアクティブとの対応関係は、例示に過ぎない。実際の適用では、任意の一つ又は複数のＤＣＩのリソース位置を選択してＳＰＳのアクティブ／デアクティブを表すことができ、リソース伝送のアグリゲーションレベルも任意の値、例えば１、２、４、８等であってもよい。
【００５７】  本発明の別の例では、ＤＣＩにより前記ＳＰＳがアクティブであるかを暗黙的に指示する方式は、ＤＣＩにより指示されるデータチャネルのリソース位置に基づいて前記ＳＰＳがアクティブであるかを特定することができ、ここで、前記リソース位置は、時間リソースであってもよく、周波数リソースであってもよく、時間・周波数リソースであってもよい。具体的に、図６に示すように、予め狭帯域物理下り共有チャネル（ＮＰＤＳＣＨ、Ｎａｒｒｏｗ  ｂａｎｄ  Ｐｈｙｓｉｃａｌ  Ｄｏｗｎｌｉｎｋ  Ｓｈａｒｅｄ  Ｃｈａｎｎｅｌ）／狭帯域物理上り共有チャネル（ＮＰＵＳＣＨ、Ｎａｒｒｏｗ  ｂａｎｄ  Ｐｈｙｓｉｃａｌ  ｕｐｌｉｎｋ  Ｓｈａｒｅｄ  Ｃｈａｎｎｅｌ）で伝送されるデータの時間・周波数リソース位置とＳＰＳのアクティブ／デアクティブとの対応関係を設定することにより、ＳＰＳがアクティブであるかを暗黙的に指示することができる。具体的に、第１のリソース位置は、ＳＰＳのアクティブを指示するために用いられ、第２のリソース位置は、ＳＰＳのデアクティブを指示するために用いられる。それに応じて、ＵＥが基地局から送信される該当のＤＣＩを受信すると、ＤＣＩで指示される該当のデータチャネルのリソース位置により、ＳＰＳのアクティブ／デアクティブを判断することができる。例えば、図６で示されるＤＣＩにより指示されるＮＰＤＳＣＨにおけるデータが第１のリソース位置にある場合、ＳＰＳがアクティブであり、ＤＣＩにより指示されるＮＰＤＳＣＨにおけるデータが第２のリソース位置にある場合、ＳＰＳがデアクティブである。
【００５８】  送信部９２０は、ＵＥが受信したＤＣＩの指示に基づいて前記ＳＰＳがアクティブであるかを特定するように、前記ＤＣＩを送信するように配置される。
【００５９】  前記のように、ＤＣＩがＣＲＣにおけるスクランブリングのための無線ネットワーク一時的識別子に基づいてＳＰＳがアクティブであるかを暗黙的に指示する場合、ＵＥは、ＣＲＣを正確的にデスクランブルする際に得られた無線ネットワーク一時的識別子（ＳＰＳ  Ｃ−ＲＮＴＩ１又はＳＰＳ  Ｃ−ＲＮＴＩ２）により、ＳＰＳのアクティブ／デアクティブを判断することができる。例えば、無線ネットワーク一時的識別子ＳＰＳ  Ｃ−ＲＮＴＩ１により現在のＤＣＩのＣＲＣを正確的にデスクランブルできる場合、ＳＰＳがアクティブであり、無線ネットワーク一時的識別子ＳＰＳ  Ｃ−ＲＮＴＩ２により現在のＤＣＩのＣＲＣを正確的にデスクランブルできる場合、ＳＰＳがデアクティブである。
【００６０】  ＤＣＩが位置するリソース位置に基づいて前記ＳＰＳがアクティブであるかを暗黙的に指示する場合、ＵＥは、受信したＤＣＩが位置するリソース位置とＳＰＳのアクティブ／デアクティブとの対応関係によりＳＰＳのアクティブ／デアクティブを判断することができる。例えば、図５に示すように、ＵＥが５番目のリソース位置でＤＣＩを検知した場合、ＳＰＳのアクティブを認知でき、６番目のリソース位置でＤＣＩを検知した場合、ＳＰＳのデアクティブを認知できる。
ＤＣＩにより指示されるデータチャネルのリソース位置に基づいて前記ＳＰＳがアクティブであるかを特定する場合、ＵＥは、ＤＣＩで指示される該当のデータチャネル（ＮＰＤＳＣＨ／ＮＰＵＳＣＨ）のリソース位置とＳＰＳのアクティブ／デアクティブとの対応関係により、ＳＰＳのアクティブ／デアクティブを判断することができる。例えば、図６に示すように、ＵＥがＤＣＩにより指示されるＮＰＤＳＣＨにおけるデータが第１のリソース位置にあることを認知する場合、ＳＰＳがアクティブであり、ＵＥがＤＣＩにより指示されるＮＰＤＳＣＨにおけるデータが第２のリソース位置にあることを認知する場合、ＳＰＳがデアクティブである。
【００６１】  本発明の実施例による基地局により、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００６２】  第２の実施例
以下、図１０を参照しながら、本発明の第２の実施例によるＵＥにより実行されるＳＰＳのアクティブ特定方法を説明する。図１０は、当該ＳＰＳのアクティブ特定方法１０００のフローチャートを示す。
【００６３】  図１０に示すように、ステップＳ１００１では、データチャネルにおける上位層制御エレメントを検知する。
【００６４】  本発明の実施例では、基地局は、ＮＰＤＳＣＨにあるＭＡＣ  ＣＥ上位層制御エレメントにより、ＳＰＳのアクティブ／デアクティブを指示することができる。具体的に、図１１に示すように、ＮＰＤＳＣＨにあるＭＡＣ  ＣＥは、論理チャネル識別子（ＬＣＩＤ）及びその後のビットを含むことができ、ここで、ＬＣＩＤに、ＬＣＩＤ後のビットがＳＰＳのアクティブ／デアクティブを表すために用いられるかを指示するための、特定値を付与することができる。ＬＣＩＤによりＬＣＩＤ後のビットがＳＰＳのアクティブ／デアクティブを表すために用いられることを指示する場合、前記ビットによりアクティブ／デアクティブの状態を指示することができる。例えば、値が０であるビットによりＳＰＳのアクティブを指示し、値が１であるビットによりＳＰＳのデアクティブを指示することができる。例えば、前記特定値は１１１１１であってもよく、このような場合に、５ビットのＬＣＩＤに１１１１１を付与する場合、その後のビットがＳＰＳのアクティブ／デアクティブの状態の指示に用いられると分かる。ここで、ＬＣＩＤ（１１１１１）後のビット値が０である場合、ＳＰＳのアクティブを指示し、ＬＣＩＤ後のビット値が１である場合、ＳＰＳのデアクティブを指示する。それに応じて、ＵＥは、データチャネルにおける上位層制御エレメントを検知することができる。
【００６５】  ステップＳ１００２では、前記上位層制御エレメントの指示に基づいて前記ＳＰＳがアクティブであるかを特定する。
【００６６】  前記のように、ＵＥは、ＮＰＤＳＣＨにおいて検知されたＭＡＣ  ＣＥ上位層制御シグナリングにより、その論理チャネル識別子ＬＣＩＤの値及びそれに対応するＳＰＳのアクティブ／デアクティブの状態を取得することができる。
【００６７】  本発明の実施例によるＳＰＳのアクティブ特定方法によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００６８】  以下、図１２を参照しながら、本発明の第２の実施例によるＵＥを説明する。図１２は、本発明の第２の実施例によるＵＥ１２００を示すブロック図である。図１２に示すように、ＵＥ１２００は、検知部１２１０と、特定部１２２０とを含む。ＵＥ１２００は、この２つの部に加えて、他の部材をさらに含むことができるが、これらの部材が本発明の実施例の内容に関連しないため、ここでは図示及び説明を省略する。また、本発明の実施例によるＵＥ１２００により実行される以下の動作の具体的な詳細は、図１０−１１を参照しながら上記で記載されたものと同じであるため、繰り返しを避けるようにここでは同じ詳細の説明を省略する。
【００６９】  図１２における検知部１２１０は、データチャネルにおける上位層制御エレメントを検知する。
【００７０】  本発明の実施例では、基地局は、ＮＰＤＳＣＨにあるＭＡＣ  ＣＥ上位層制御エレメントにより、ＳＰＳのアクティブ／デアクティブを指示することができる。具体的に、図１１に示すように、ＮＰＤＳＣＨにあるＭＡＣ  ＣＥは、論理チャネル識別子（ＬＣＩＤ）及びその後のビットを含むことができ、ここで、ＬＣＩＤに、ＬＣＩＤ後のビットがＳＰＳのアクティブ／デアクティブを表すために用いられるかを指示するための、特定値を付与することができる。ＬＣＩＤがＬＣＩＤ後のビットがＳＰＳのアクティブ／デアクティブを表すために用いられることを指示する場合、前記ビットによりアクティブ／デアクティブの状態を指示することができる。例えば、値が０であるビットによりＳＰＳのアクティブを指示し、値が１であるビットによりＳＰＳのデアクティブを指示することができる。例えば、前記特定値は１１１１１であってもよく、このような場合に、５ビットのＬＣＩＤが１１１１１を付与される場合、その後のビットがＳＰＳのアクティブ／デアクティブの状態の指示に用いられると分かる。ここで、ＬＣＩＤ（１１１１１）後のビット値が０である場合、ＳＰＳのアクティブを指示し、ＬＣＩＤ後のビット値が１である場合、ＳＰＳのデアクティブを指示する。それに応じて、検知部１２１０は、データチャネルにおける上位層制御エレメントを検知することができる。
【００７１】  特定部１２２０は、前記上位層制御エレメントの指示に基づいて前記ＳＰＳがアクティブであるかを特定する。
【００７２】  前記のように、特定部１２２０は、検知部１２１０がＮＰＤＳＣＨにおいて検知したＭＡＣ  ＣＥ上位層制御シグナリングにより、その論理チャネル識別子ＬＣＩＤの値及びそれに対応するＳＰＳのアクティブ／デアクティブの状態を取得することができる。
【００７３】  本発明の実施例によるＳＰＳのＵＥによれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００７４】  以下、図１３を参照しながら、本発明の第２の実施例による基地局により実行されるＳＰＳのアクティブ指示方法を説明する。図１３は、当該ＳＰＳのアクティブ指示方法１３００のフローチャートを示す。
【００７５】  図１３に示すように、ステップＳ１３０１では、上位層制御エレメントを生成する。
【００７６】  本発明の実施例では、基地局は、ＮＰＤＳＣＨにあるＭＡＣ  ＣＥ上位層制御エレメントによりＳＰＳのアクティブ／デアクティブを指示することができる。具体的に、図１１に示すように、ＮＰＤＳＣＨにあるＭＡＣ  ＣＥは、論理チャネル識別子（ＬＣＩＤ）及びその後のビットを含むことができ、ここで、ＬＣＩＤに、ＬＣＩＤ後のビットがＳＰＳのアクティブ／デアクティブを表すために用いられるかを指示するための、特定値を付与することができる。ＬＣＩＤがＬＣＩＤ後のビットがＳＰＳのアクティブ／デアクティブを表すために用いられることを指示する場合、前記ビットによりアクティブ／デアクティブの状態を指示することができる。例えば、値が０であるビットによりＳＰＳのアクティブを指示し、値が１であるビットによりＳＰＳのデアクティブを指示することができる。例えば、前記特定値は１１１１１であってもよく、このような場合に、５ビットのＬＣＩＤに１１１１１が付与される場合、その後のビットがＳＰＳのアクティブ／デアクティブの状態の指示に用いられると分かる。ここで、ＬＣＩＤ（１１１１１）後のビット値が０である場合、ＳＰＳのアクティブを指示し、ＬＣＩＤ後のビット値が１である場合、ＳＰＳのデアクティブを指示する。それに応じて、ＵＥは、データチャネルにおける上位層制御エレメントを検知することができる。
【００７７】  ステップＳ１３０２では、ＵＥが前記上位層制御エレメントの指示に基づいて前記ＳＰＳがアクティブであるかを特定するように、データチャネルで前記上位層制御エレメントを送信する。
【００７８】  前記のように、基地局は、ＵＥがＮＰＤＳＣＨにおいて検知されたＭＡＣ  ＣＥ上位層制御シグナリングにより、その論理チャネル識別子ＬＣＩＤの値及びそれに対応するＳＰＳのアクティブ／デアクティブの状態を取得するように、データチャネルで前記上位層制御エレメントを送信することができる。
【００７９】  本発明の実施例によるＳＰＳのアクティブ指示方法によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００８０】  以下、図１４を参照しながら、本発明の第２の実施例による基地局を説明する。図１４は、本発明の実施例による基地局１４００のブロック図を示す。図１４に示すように、基地局１４００は、生成部１４１０と、送信部１４２０とを含む。基地局１４００は、この２つの部に加えて、他の部材をさらに含むことができるが、これらの部材が本発明の実施例の内容に関連しないため、ここではその図示及び説明を省略する。また、本発明の実施例による基地局１４００により実行される以下の動作の具体的な詳細は、図１３を参照しながら上記で記載されたものと同じであるため、繰り返しを避けるようにここでは同じ詳細の説明を省略する。
【００８１】  図１４における生成部１４１０は、上位層制御エレメントを生成するように配置される。
【００８２】  本発明の実施例では、基地局は、ＮＰＤＳＣＨにあるＭＡＣ  ＣＥ上位層制御エレメントにより、ＳＰＳのアクティブ／デアクティブを指示することができる。具体的に、図１１に示すように、ＮＰＤＳＣＨにあるＭＡＣ  ＣＥは、論理チャネル識別子（ＬＣＩＤ）及びその後のビットを含むことができ、ここで、ＬＣＩＤに、ＬＣＩＤ後のビットがＳＰＳのアクティブ／デアクティブを表すために用いられるかを指示するための、特定値を付与することができる。ＬＣＩＤによりＬＣＩＤ後のビットがＳＰＳのアクティブ／デアクティブを表すために用いられることを指示する場合、前記ビットによりアクティブ／デアクティブの状態を指示することができる。例えば、値が０であるビットによりＳＰＳのアクティブを指示し、値が１であるビットによりＳＰＳのデアクティブを指示することができる。例えば、前記特定値は１１１１１であってもよく、このような場合に、５ビットのＬＣＩＤに１１１１１が付与される場合、その後のビットがＳＰＳのアクティブ／デアクティブの状態の指示に用いられると分かる。ここで、ＬＣＩＤ（１１１１１）後のビット値が０である場合、ＳＰＳのアクティブを指示し、ＬＣＩＤ後のビット値が１である場合、ＳＰＳのデアクティブを指示する。それに応じて、ＵＥは、データチャネルにおける上位層制御エレメントを検知することができる。
【００８３】  送信部１４２０は、ＵＥが前記上位層制御エレメントの指示に基づいて前記ＳＰＳがアクティブであるかを特定するように、データチャネルで前記上位層制御エレメントを送信するように配置される。
【００８４】  前記のように、送信部１４２０は、ＵＥがその論理チャネル識別子ＬＣＩＤの値及びそれに対応するＳＰＳのアクティブ／デアクティブの状態を取得するように、ＮＰＤＳＣＨにおいてＭＡＣ  ＣＥ上位層制御シグナリングを送信することができる。
【００８５】  本発明の実施例によるＳＰＳの基地局によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【００８６】  第３の実施例
以下、図１５を参照しながら、本発明の第３の実施例によるＵＥにより実行されるＳＰＳのアクティブ特定方法を説明する。図１５は、当該ＳＰＳのアクティブ特定方法１５００のフローチャートを示す。
【００８７】  図１５に示すように、ステップＳ１５０１では、下り制御情報（ＤＣＩ）を受信する。
【００８８】  本発明の実施例では、ＤＣＩにおける特定フィールドの値と前記ＳＰＳのアクティブ及び／又はデアクティブとの対応関係に基づいて、前記ＳＰＳがアクティブであるかを指示することができる。
【００８９】  具体的に、本発明の一例では、前記特定フィールドの値は、ＤＣＩにおける予約フィールドの特定値であってもよい。例えば、ＤＣＩにおける予約フィールドは、ＭＣＳインデックスにおける予約フィールドであってもよい。図１６は、現在のＮＢ−ＩｏＴにおいて上りＳＰＳに対するＭＣＳとＭＣＳインデックスとの間の対応関係を示し、これからわかるように、ＭＣＳインデックスが０−１０（即ち００００−１０１０）である場合、ＭＣＳインデックスのそれぞれは、１つの変調次数及びＴＢＳインデックスに対応し、ＭＣＳインデックスが１１−１５（即ち１０１１−１１１１）である場合、対応する変調次数及びＴＢＳインデックスが存在しない予約フィールドである。そのため、ＭＣＳインデックスの１１−１５の範囲内のいずれかの値とＳＰＳのアクティブ／デアクティブとを対応付けることができる。例えば、ＭＣＳインデックスが１５（即ち１１１１）である場合をＳＰＳのデアクティブと対応付けさせることを選択できる。また、ＭＣＳインデックスが１１−１５の範囲内のいずれかの値のうち既にＳＰＳのデアクティブの状態の対応フィールドを特定した後、それぞれ異なる変調次数及びＴＢＳインデックスに対応する０−１０のＭＣＳインデックスは、いずれもＳＰＳのアクティブの状態に対応すると考えられてもよい。なお、下りＳＰＳに対するＭＣＳとＭＣＳインデックスとの対応関係テーブルにおいて、図１６で示すような同様の方式により予約フィールドを選択して、ＳＰＳのアクティブ／デアクティブの状態と対応付けさせることもできる。
【００９０】  本発明の別の例では、ＤＣＩにおける予約フィールドは、ＤＣＩが呼び出す上り伝送中のサブキャリア指示（ｓｕｂｃａｒｒｉｅｒ  ｉｎｄｉｃａｔｉｏｎ）における予約フィールドであってもよい。ＤＣＩにおけるサブキャリア指示フィールドは、６ビットで６４つの状態を含むことができるが、実際の適用では、そのうち４８つの状態（サブキャリア周波数が３．７５ＫＨｚである場合）又は１８つの状態（サブキャリア周波数が１５ＫＨｚである場合）しか必要がない。そのため、ＤＣＩのサブキャリア指示の未使用の予約フィールドの特定値によりＳＰＳのアクティブ／デアクティブを指示することができる。例えば、値が１１１１１１である６ビットによりＳＰＳのデアクティブを指示し、値が１１１１１０である６ビットによりＳＰＳのアクティブを指示することができる。
【００９１】  本発明のまた別の例では、特定フィールドは、前記ＤＣＩの一つ又は複数の冗長ビットであってもよい。例えば、ＤＣＩが呼び出す下り伝送中のＮＰＤＣＣＨトリガーインジケータ（ＮＰＤＣＣＨ  ｏｒｄｅｒ  ｉｎｄｉｃａｔｏｒ）は、非準静的伝送の時のランダムアクセスチャネル（ＲＡＣＨ）がどのようにトリガーされるかを指示するために用いられる。現在が準静的スケジューリングである場合、ＮＰＤＣＣＨトリガーインジケータはＲＡＣＨの状態を指示する必要がないため、ＳＰＳでの冗長ビットとみなされてもよい。このような場合に、ＮＰＤＣＣＨトリガーインジケータの値とＳＰＳのアクティブ／デアクティブとの対応関係を構築することができ、例えば、ＮＰＤＣＣＨトリガーインジケータの値が０である場合、ＳＰＳのアクティブを指示し、１である場合、ＳＰＳのデアクティブを指示する。
【００９２】  本発明のさらに別の例では、上記のＤＣＩにおける予約フィールド特定値と冗長ビットの一つ又は複数との両方を併用して、ＳＰＳのアクティブ／デアクティブを共に指示することができる。或いは、ＤＣＩにおけるＭＣＳの予約フィールド、サブキャリア指示の予約フィールド、及びＮＰＤＣＣＨトリガーインジケータ等を、いずれも固定な値として定義し、例えば、全てのビットの値を、いずれも１として設定することができる。さらに、指示の誤り率を低減させるように、ＳＰＳのアクティブ及びデアクティブを指示する時に、ＤＣＩにおける特定な一つ又は複数のビット又はフィールドを固定値として設定し、例えば、デアクティブに対する上記ＭＣＳの予約フィールド、サブキャリア指示の予約フィールド、及びＮＰＤＣＣＨトリガーインジケータ以外の一つ又は複数のビット又はフィールド（例えば、スケジューリング遅延フィールド、リソース割り当てフィールド、繰り返し回数フィールド等）を、いずれも固定値として設定する（例えば、いずれも１として設定する）ことができる。
【００９３】  或いは、前記ＤＣＩにおける特定フィールドの値と前記ＳＰＳのアクティブ及び／又はデアクティブとの対応関係に基づいて、前記ＳＰＳがアクティブであるかを指示することは、ＤＣＩにおける変調符号化方式インデックスを指示するフィールドから少なくとも１ビットを削減し、当該フィールドにおける残りのビットにより変調符号化方式インデックスを表すことと、前記少なくとも１ビットの値と前記ＳＰＳのアクティブ及び／又はデアクティブとの対応関係に基づいて、前記ＳＰＳがアクティブであるかを指示することと、をさらに含むことができる。具体的に、図１７に示すように、ＮＢ−ｌｏＴにおけるＭＣＳの４ビットのインデックスから少なくとも１ビットを削減し、当該フィールドにおける残りの３ビットでＭＣＳインデックスを構築することができる。このような場合に、チャネル伝送及びシステムリソース占有状況を総合的に考慮し、その一部のＭＣＳ状態を選択的に保留して、システムリソースコストをなるべく削減しながら、新たなＭＣＳとＭＣＳインデックスとの間の対応関係を構築することができる。或いは、この削減されたビットは、ＭＣＳインデックスの最上位ビット（ＭＳＢ）であってもよく、もちろん、ＭＣＳインデックスのうちいずれかのビットであってもよい。図１７で示される新たな対応関係テーブルを取得した後、前記少なくとも１ビットとＳＰＳのアクティブ及び／又はデアクティブとの対応関係を構築して、ＳＰＳのアクティブ／デアクティブを指示することができる。例えば、このビットの値が０である場合をＳＰＳのアクティブと対応付け、ビットの値が１である場合をＳＰＳのデアクティブと対応付けることができる。図１７では、ＭＣＳとＭＣＳインデックスとの対応関係の可能な一実施形態を示すが、実際の適用では、実際の状況又は各パラメータにより、そのうちいずれか一つ又は複数のＭＣＳ状態を選択してもよく、ここに制限されるものではない。
【００９４】  ステップＳ１５０２では、前記ＤＣＩにおける特定フィールドの値と前記ＳＰＳのアクティブ及び／又はデアクティブとの対応関係に基づいて、前記ＳＰＳがアクティブであるかを特定する。
【００９５】  前記のように、前記特定フィールドの値がＤＣＩにおける予約フィールドの特定値であってもよい場合、例えば、ＭＣＳインデックスにおける予約フィールドの特定値である場合、ＭＣＳインデックスの１１−１５の範囲内の任意の値とＳＰＳのアクティブ／デアクティブとの対応関係に基づいて、前記ＳＰＳがアクティブであるかを特定することができる。
【００９６】  ＤＣＩにおける予約フィールドが、上り呼び出しのサブキャリア指示（ｓｕｂｃａｒｒｉｅｒ  ｉｎｄｉｃａｔｉｏｎ）における予約フィールドである場合、ＤＣＩにおけるサブキャリア指示の予約フィールドの特定値とＳＰＳのアクティブ／デアクティブとの対応関係に基づいて、ＳＰＳがアクティブであるかを特定することができる。
【００９７】  なお、特定フィールドが、前記ＤＣＩにおける一つ又は複数の冗長ビットである場合、冗長ビットの値とＳＰＳのアクティブ／デアクティブとの対応関係に基づいて、ＳＰＳがアクティブであるかを特定することができる。
【００９８】  基地局が、上記のＤＣＩにおける予約フィールド特定値と冗長ビットの一つ又は複数との両方を併用して、ＳＰＳのアクティブ／デアクティブを共に指示する場合、指示の誤り率をさらに低減させるように、上記の各種の対応関係の組み合わせによりＳＰＳがアクティブであるかを総合的に特定することができる。
【００９９】  或いは、基地局が、ＤＣＩにおける変調符号化方式インデックスを指示するフィールドから少なくとも１ビットを削減し、当該フィールドにおける残りのビットにより変調符号化方式インデックスを表し、前記少なくとも１ビットの値と前記ＳＰＳのアクティブ及び／又はデアクティブとの対応関係に基づいて、前記ＳＰＳがアクティブであるかを指示する場合、ＵＥは、前記少なくとも１ビットとＳＰＳのアクティブ及び／又はデアクティブとの対応関係に基づいて、ＳＰＳがアクティブであるかを特定することができる。
【０１００】  本発明の別の例では、基地局は、さらにＳＰＳのアクティブ／デアクティブの状態の指示の誤り率を低減させ、指示の精度を向上させるように、ＳＰＳのアクティブ／デアクティブを指示する際に、上記の第１の実施例におけるＤＣＩの暗黙指示方式と、第２の実施例におけるＭＡＣ  ＣＥ指示方式と、第３の実施例におけるＤＣＩの特定フィールドの値の指示方式とのうちいずれの少なくとも２つの方式の組み合わせを総合的に採用し、ＳＰＳのアクティブ／デアクティブの状態を共に指示することができる。それに応じて、ＵＥも、上記の少なくとも２つの方式を総合的に採用して、ＳＰＳのアクティブ／デアクティブを判断する。例えば、いずれかのＤＣＩ暗黙指示方式によりＳＰＳのアクティブ及びデアクティブを指示する時に、ＤＣＩにおける特定な一つ又は複数のビット又はフィールドを固定値として設定することができる。或いは、ＳＰＳのアクティブ／デアクティブの状態を指示する時に、指示の誤り率を低減させるように、ＭＣＳの予約フィールド、サブキャリア指示の予約フィールド、ＮＰＤＣＣＨトリガーインジケータ、若しくはその他のビット又はフィールド（例えば、スケジューリング遅延フィールド、リソース割り当てフィールド、繰り返し回数フィールド等）の一つ又は複数を、固定値として設定する（例えば、いずれも１として設定する）ことができる。
【０１０１】  本発明の実施例のＳＰＳのアクティブ特定方法によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【０１０２】  以下、図１８を参照しながら、本発明の実施例によるＵＥを説明する。図１８は、本発明の実施例によるＵＥ１８００のブロック図を示す。図１８に示すように、ＵＥ１８００は、受信部１８１０と、特定部１８２０とを含む。ＵＥ１８００は、この２つの部に加えて、他の部材をさらに含むことができるが、これらの部材が本発明の実施例の内容に関連しないため、ここでは図示及び説明を省略する。また、本発明の実施例によるＵＥ１８００により実行される以下の動作の具体的な詳細は、図１５−１７を参照しながら上記で記載されたものと同じであるため、繰り返しを避けるようにここでは同じ詳細の説明を省略する。
【０１０３】  図１８における受信部１８１０は、下り制御情報（ＤＣＩ）を受信する。
【０１０４】  本発明の実施例では、基地局は、ＤＣＩにおける特定フィールドの値と前記ＳＰＳのアクティブ及び／又はデアクティブとの対応関係に基づいて、前記ＳＰＳがアクティブであるかを指示することができる。
【０１０５】  具体的に、本発明の一例では、前記特定フィールドの値は、ＤＣＩにおける予約フィールドの特定値であってもよい。例えば、ＤＣＩにおける予約フィールドは、ＭＣＳインデックスにおける予約フィールドであってもよい。図１６は、現在のＮＢ−ＩｏＴにおいて上りＳＰＳに対するＭＣＳとＭＣＳインデックスとの間の対応関係を示し、これからわかるように、ＭＣＳインデックスが０−１０（即ち００００−１０１０）である場合、ＭＣＳインデックスのそれぞれは、１つの変調次数及びＴＢＳインデックスに対応し、ＭＣＳインデックスが１１−１５（即ち１０１１−１１１１）である場合、対応する変調次数及びＴＢＳインデックスが存在しない予約フィールドである。そのため、ＭＣＳインデックスの１１−１５の範囲内のいずれかの値とＳＰＳのアクティブ／デアクティブとを対応付けることができる。例えば、ＭＣＳインデックスが１５（即ち１１１１）である場合を選択して、ＳＰＳのデアクティブと対応付けることができる。また、ＭＣＳインデックスが１１−１５の範囲内のいずれかの値で既にＳＰＳのデアクティブの状態の対応フィールドを特定した後、それぞれ異なる変調次数及びＴＢＳインデックスに対応する０−１０のＭＣＳインデックスは、いずれもＳＰＳのアクティブの状態に対応すると考えられてもよい。なお、下りＳＰＳに対するＭＣＳとＭＣＳインデックスとの対応関係テーブルにおいて、図１６で示すような同様の方式により予約フィールドを選択して、ＳＰＳのアクティブ／デアクティブの状態と対応付けることもできる。
【０１０６】  本発明の別の例では、ＤＣＩにおける予約フィールドは、ＤＣＩが呼び出す上り伝送中のサブキャリア指示（ｓｕｂｃａｒｒｉｅｒ  ｉｎｄｉｃａｔｉｏｎ）における予約フィールドであってもよい。ＤＣＩにおけるサブキャリア指示フィールドは、６ビットで６４つの状態を含むことができるが、実際の適用では、そのうち４８つの状態（サブキャリア周波数が３．７５ＫＨｚである場合）又は１８つの状態（サブキャリア周波数が１５ＫＨｚである場合）しか必要がない。そのため、ＤＣＩサブキャリア指示における未使用の予約フィールドの特定値によりＳＰＳのアクティブ／デアクティブを指示することができる。例えば、値が１１１１１１である６ビットによりＳＰＳのデアクティブを指示し、値が１１１１１０である６ビットによりＳＰＳのアクティブを指示することができる。
【０１０７】  本発明のまた別の例では、特定フィールドは、前記ＤＣＩの一つ又は複数の冗長ビットであってもよい。例えば、ＤＣＩが呼び出す下り伝送中のＮＰＤＣＣＨトリガーインジケータ（ＮＰＤＣＣＨ  ｏｒｄｅｒ  ｉｎｄｉｃａｔｏｒ）は、非準静的伝送の時のランダムアクセスチャネル（ＲＡＣＨ）がどのようにトリガーされるかを指示するために用いられる。現在が準静的スケジューリングである場合、ＮＰＤＣＣＨトリガーインジケータはＲＡＣＨの状態を指示する必要がないため、ＳＰＳでの冗長ビットと見なされてもよい。このような場合に、ＮＰＤＣＣＨトリガーインジケータの値とＳＰＳのアクティブ／デアクティブとの対応関係を構築することができ、例えば、ＮＰＤＣＣＨトリガーインジケータの値が０である場合、ＳＰＳのアクティブを指示し、１である場合、ＳＰＳのデアクティブを指示する。
【０１０８】  本発明のさらに別の例では、上記のＤＣＩにおける予約フィールドの特定値と冗長ビットの一つ又は複数との両方を併用して、ＳＰＳのアクティブ／デアクティブを共に指示することができる。或いは、ＤＣＩにおけるＭＣＳの予約フィールド、サブキャリア指示の予約フィールド、及びＮＰＤＣＣＨトリガーイシジケータ等を、いずれも固定な値として定義し、例えば、全てのビットの値を、いずれも１として設定することができる。さらに、指示の誤り率を低減させるように、ＳＰＳのアクティブ及びデアクティブを指示する時に、ＤＣＩにおける特定な一つ又は複数のビット又はフィールドを固定値として設定し、例えば、デアクティブに対する上記ＭＣＳの予約フィールド、サブキャリア指示の予約フィールド、及びＮＰＤＣＣＨトリガーインジケータ以外の一つ又は複数のビット又はフィールド（例えば、スケジューリング遅延フィールド、リソース割り当てフィールド、繰り返し回数フィールド等）を、いずれも固定値として設定する（例えば、いずれも１として設定する）ことができる。
【０１０９】  或いは、基地局は、前記ＤＣＩにおける特定フィールドの値と前記ＳＰＳのアクティブ及び／又はデアクティブとの対応関係に基づいて、前記ＳＰＳがアクティブであるかを指示することは、ＤＣＩにおける変調符号化方式インデックスを指示するフィールドから少なくとも１ビットを削減し、当該フィールドにおける残りのビットにより変調符号化方式インデックスを表すことと、前記少なくとも１ビットの値と前記ＳＰＳのアクティブ及び／又はデアクティブとの対応関係に基づいて、前記ＳＰＳがアクティブであるかを指示することと、をさらに含むことができる。具体的に、図１７に示すように、ＮＢ−ｌｏＴにおけるＭＣＳの４ビットのインデックスから少なくとも１ビットを削減し、当該フィールドにおける残りの３ビットでＭＣＳインデックスを構築することができる。このような場合に、チャネル伝送及びシステムリソース占有状況を総合的に考慮し、その一部のＭＣＳ状態を選択的に保留して、システムリソースコストをなるべく削減しながら、新たなＭＣＳとＭＣＳインデックスとの間の対応関係を構築することができる。或いは、この削減されたビットは、ＭＣＳインデックスの最上位ビット（ＭＳＢ）であってもよく、もちろん、ＭＣＳインデックスのうちいずれかのビットであってもよい。図１７で示される新たな対応関係テーブルを取得した後、前記少なくとも１ビットとＳＰＳのアクティブ及び／又はデアクティブとの対応関係を構築して、ＳＰＳのアクティブ／デアクティブを指示することができる。例えば、このビットの値が０である場合をＳＰＳのアクティブと対応付け、ビットの値が１である場合をＳＰＳのデアクティブと対応付けることができる。図１７では、ＭＣＳとＭＣＳインデックスとの対応関係の可能な一実施形態を示すが、実際の適用では、実際の状況又は各パラメータにより、そのうちいずれか一つ又は複数のＭＣＳ状態を選択してもよく、ここに制限されるものではない。
【０１１０】  特定部１８２０は、前記ＤＣＩにおける特定フィールドの値と前記ＳＰＳのアクティブ及び／又はデアクティブとの対応関係に基づいて、前記ＳＰＳがアクティブであるかを特定する。
【０１１１】  前記のように、前記特定フィールドの値がＤＣＩにおける予約フィールドの特定値であってもよい場合、例えば、ＭＣＳインデックスにおける予約フィールドの特定値である場合、特定部１８２０は、ＭＣＳインデックスの１１−１５の範囲内の任意の値とＳＰＳのアクティブ／デアクティブとの対応関係に基づいて、前記ＳＰＳがアクティブであるかを特定することができる。
【０１１２】  ＤＣＩにおける予約フィールドが、上り呼び出しのサブキャリア指示（ｓｕｂｃａｒｒｉｅｒ  ｉｎｄｉｃａｔｉｏｎ）における予約フィールドである場合、特定部１８２０は、ＤＣＩにおけるサブキャリア指示の予約フィールドの特定値とＳＰＳのアクティブ／デアクティブとの対応関係に基づいて、ＳＰＳがアクティブであるかを特定することができる。
【０１１３】  なお、特定フィールドが、前記ＤＣＩの一つ又は複数の冗長ビットである場合、特定部１８２０は、冗長ビットの値とＳＰＳのアクティブ／デアクティブとの対応関係に基づいて、ＳＰＳがアクティブであるかを特定することができる。
、
【０１１４】  基地局が、上記のＤＣＩにおける予約フィールドの特定値と冗長ビットの一つ又は複数との両方を併用して、ＳＰＳのアクティブ／デアクティブを共に指示する場合、特定部１８２０は、指示の誤り率を低減させるように、上記の各種の対応関係の組み合わせによりＳＰＳがアクティブであるかを総合的に特定することができる。
【０１１５】  或いは、基地局が、ＤＣＩにおける変調符号化方式インデックスを指示するフィールドから少なくとも１ビットを削減し、当該フィールドにおける残りのビットにより変調符号化方式インデックスを表して、前記少なくとも１ビットの値と前記ＳＰＳのアクティブ及び／又はデアクティブとの対応関係に基づいて、前記ＳＰＳがアクティブであるかを指示する場合、特定部１８２０は、前記少なくとも１ビットとＳＰＳのアクティブ及び／又はデアクティブとの対応関係に基づいて、ＳＰＳがアクティブであるかを特定することができる。
【０１１６】  本発明の別の例では、基地局は、さらにＳＰＳのアクティブ／デアクティブの状態の指示の誤り率を低減させ、指示の精度を向上させるように、ＳＰＳのアクティブ／デアクティブを指示する際に、上記の第１の実施例におけるＤＣＩの暗黙指示方式と、第２の実施例におけるＭＡＣ  ＣＥ指示方式と、第３の実施例におけるＤＣＩにおける特定フィールドの値の指示方式とのうちいずれの少なくとも２つの方式の組み合わせを総合的に採用して、ＳＰＳのアクティブ／デアクティブの状態を共に指示することができる。それに応じて、ＵＥも、上記の少なくとも２つの方式を総合的に採用して、ＳＰＳのアクティブ／デアクティブを判断する。例えば、いずれかのＤＣＩ暗黙指示方式によりＳＰＳのアクティブ及びデアクティブを指示する時に、ＤＣＩにおける特定な一つ又は複数のビット又はフィールドを固定値として設定することができる。或いは、ＳＰＳのアクティブ／デアクティブの状態を指示する時に、指示の誤り率を低減させるように、ＭＣＳの予約フィールド、サブキャリア指示の予約フィールド、ＮＰＤＣＣＨトリガーインジケータ、若しくはその他のビット又はフィールド（例えば、スケジューリング遅延フィールド、リソース割り当てフィールド、繰り返し回数フィールド等）の一つ又は複数を、固定値として設定する（例えば、いずれも１として設定する）ことができる。
【０１１７】  本発明の実施例によるＵＥによれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【０１１８】  以下、図１９を参照しながら、本発明の実施例による基地局により実行されるＳＰＳのアクティブ指示方法を説明する。図１９は、当該ＳＰＳのアクティブ指示方法１９００のフローチャートを示す。
【０１１９】  図１９に示すように、ステップＳ１９０１では、下り制御情報（ＤＣＩ）を生成する。
【０１２０】  本発明の実施例では、基地局は、ＤＣＩにおける特定フィールドの値と前記ＳＰＳのアクティブ及び／又はデアクティブとの対応関係に基づいて、前記ＳＰＳがアクティブであるかを指示することができる。
【０１２１】  具体的に、本発明の一例では、前記特定フィールドの値は、ＤＣＩにおける予約フィールドの特定値であってもよい。例えば、ＤＣＩにおける予約フィールドは、ＭＣＳインデックスにおける予約フィールドであってもよい。図１６は、現在のＮＢ−ＩｏＴにおいて上りＳＰＳに対するＭＣＳとＭＣＳインデックスとの間の対応関係を示し、これからわかるように、ＭＣＳインデックスが０−１０（即ち００００−１０１０）である場合、ＭＣＳインデックスのそれぞれは、１つの変調次数及びＴＢＳインデックスに対応し、ＭＣＳインデックスが１１−１５（即ち１０１１−１１１１）である場合、対応する変調次数及びＴＢＳインデックスが存在しない予約フィールドである。そのため、ＭＣＳインデックスが１１−１５の範囲内のいずれかの値とＳＰＳのアクティブ／デアクティブとを対応付けることができる。例えば、ＭＣＳインデックスが１５（即ち１１１１）である場合を選択して、ＳＰＳのデアクティブと対応付けることができる。また、ＭＣＳインデックスが１１−１５の範囲内のいずれかの値で既にＳＰＳのデアクティブの状態の対応フィールドを特定した後、それぞれ異なる変調次数及びＴＢＳインデックスに対応する０−１０のＭＣＳインデックスは、いずれもＳＰＳのアクティブの状態に対応すると考えられてもよい。なお、下りＳＰＳに対するＭＣＳとＭＣＳインデックス対応関係テーブルにおいて、図１６で示すような同様の方式により予約フィールドを選択して、ＳＰＳのアクティブ／デアクティブの状態と対応付けることもできる。
【０１２２】  本発明の別の例では、ＤＣＩにおける予約フィールドは、ＤＣＩが呼び出す上り伝送中のサブキャリア指示（ｓｕｂｃａｒｒｉｅｒ  ｉｎｄｉｃａｔｉｏｎ）における予約フィールドであってもよい。ＤＣＩにおけるサブキャリア指示フィールドは、６ビットで６４つの状態を含むことができるが、実際の適用では、そのうち４８つの状態（サブキャリア周波数が３．７５ＫＨｚである場合）又は１８つの状態（サブキャリア周波数が１５ＫＨｚである場合）しか必要がない。そのため、ＤＣＩサブキャリア表指示の未使用の予約フィールドの特定値によりＳＰＳのアクティブ／デアクティブを指示することができる。例えば、値が１１１１１１である６ビットによりＳＰＳのデアクティブを指示し、値が１１１１１０である６ビットによりＳＰＳのアクティブを指示することができる。
【０１２３】  本発明のまた別の例では、特定フィールドは、前記ＤＣＩの一つ又は複数の冗長ビットであってもよい。例えば、ＤＣＩが呼び出す下り伝送中のＮＰＤＣＣＨトリガーインジケータ（ＮＰＤＣＣＨ  ｏｒｄｅｒ  ｉｎｄｉｃａｔｏｒ）は、非準静的伝送の時のランダムアクセスチャネル（ＲＡＣＨ）がどのようにトリガーされるかを指示するために用いられる。現在が準静的スケジューリングである場合、ＮＰＤＣＣＨトリガーインジケータはＲＡＣＨの状態を指示する必要がないため、ＳＰＳでの冗長ビットとみなされてもよい。このような場合に、ＮＰＤＣＣＨトリガーインジケータの値とＳＰＳのアクティブ／デアクティブとの対応関係を構築することができ、例えば、ＮＰＤＣＣＨトリガーインジケータの値が０である場合、ＳＰＳのアクティブを指示し、１である場合、ＳＰＳのデアクティブを指示する。
【０１２４】  本発明のさらに別の例では、上記のＤＣＩにおける予約フィールドの特定値と冗長ビットの一つ又は複数との両方を併用して、ＳＰＳのアクティブ／デアクティブを共に指示することができる。或いは、ＤＣＩにおけるＭＣＳの予約フィールド、サブキャリア指示の予約フィールド、及びＮＰＤＣＣＨトリガーインジケータ等を、いずれも固定な値として定義し、例えば、全てのビットの値を、いずれも１として設定することができる。さらに、指示の誤り率をさらに低減させるように、ＳＰＳのアクティブ及びデアクティブを指示する時に、ＤＣＩにおける特定な一つ又は複数のビット又はフィールドを固定値として設定し、例えば、デアクティブに対する上記ＭＣＳの予約フィールド、サブキャリア指示の予約フィールド、及びＮＰＤＣＣＨトリガーインジケータ以外の一つ又は複数のビット又はフィールド（例えば、スケジューリング遅延フィールド、リソース割り当てフィールド、繰り返し回数フィールド等）を、いずれも固定値として設定する（例えば、いずれも１として設定する）ことができる。
【０１２５】  或いは、前記ＤＣＩにおける特定フィールドの値と前記ＳＰＳのアクティブ及び／又はデアクティブとの対応関係に基づいて、前記ＳＰＳがアクティブであるかを指示することは、ＤＣＩにおける変調符号化方式インデックスを指示するフィールドから少なくとも１ビットを削減し、当該フィールドにおける残りのビットにより変調符号化方式インデックスを表すことと、前記少なくとも１ビットの値と前記ＳＰＳのアクティブ及び／又はデアクティブとの対応関係に基づいて、前記ＳＰＳがアクティブであるかを指示することと、をさらに含むことができる。具体的に、図１７に示すように、ＮＢ−ｌｏＴにおけるＭＣＳの４ビットのインデックスから少なくとも１ビットを削減し、当該フィールドにおける残りの３ビットでＭＣＳインデックスを構築することができる。このような場合に、チャネル伝送及びシステムリソース占有状況を総合的に考慮し、その一部のＭＣＳ状態を選択的に保留して、システムリソースコストをなるべく削減しながら、新たなＭＣＳとＭＣＳインデックスとの間の対応関係を構築することができる。或いは、この削減されたビットは、ＭＣＳインデックスの最上位ビット（ＭＳＢ）であってもよく、もちろん、ＭＣＳインデックスのうちいずれかのビットであってもよい。図１７で示される新たな対応関係テーブルを取得した後、前記少なくとも１ビットとＳＰＳのアクティブ及び／又はデアクティブとの対応関係を構築して、ＳＰＳのアクティブ／デアクティブを指示することができる。例えば、このビットの値が０である場合をＳＰＳのアクティブと対応付け、ビットの値が１である場合をＳＰＳのデアクティブと対応付けることができる。図１７では、ＭＣＳとＭＣＳインデックスとの対応関係の可能な一実施形態を示すが、実際の適用では、実際の状況又は各パラメータにより、そのうちいずれか一つ又は複数のＭＣＳ状態を選択してもよく、ここに制限されるものではない。
【０１２６】  ステップＳ１９０２では、ＵＥが前記ＤＣＩにおける特定フィールドの値と前記ＳＰＳのアクティブ及び／又はデアクティブとの対応関係に基づいて、前記ＳＰＳがアクティブであるかを特定するように、前記ＤＣＩを送信する。
【０１２７】  前記のように、前記特定フィールドの値がＤＣＩにおける予約フィールドの特定値であってもよい場合、例えば、ＭＣＳインデックスにおける予約フィールドの特定値である場合、ＵＥは、ＭＣＳインデックスの１１−１５の範囲内の任意の値とＳＰＳのアクティブ／デアクティブとの対応関係に基づいて、前記ＳＰＳがアクティブであるかを特定することができる。
【０１２８】  ＤＣＩにおける予約フィールドが、上り呼び出しのサブキャリア指示（ｓｕｂｃａｒｒｉｅｒ  ｉｎｄｉｃａｔｉｏｎ）における予約フィールドである場合、ＵＥは、ＤＣＩにおけるサブキャリア指示の予約フィールドの特定値とＳＰＳのアクティブ／デアクティブとの対応関係に基づいて、ＳＰＳがアクティブであるかを特定することができる。
【０１２９】  なお、特定フィールドが、前記ＤＣＩの一つ又は複数の冗長ビットである場合、ＵＥは、冗長ビットの値とＳＰＳのアクティブ／デアクティブとの対応関係に基づいて、ＳＰＳがアクティブであるかを特定することができる。
【０１３０】  基地局が、上記のＤＣＩにおける予約フィールドの特定値と冗長ビットの一つ又は複数との両方を併用して、ＳＰＳのアクティブ／デアクティブを共に指示する場合、ＵＥは、指示の誤り率をさらに低減させるように、上記の各種の対応関係の組み合わせによりＳＰＳがアクティブであるかを総合的に特定することができる。
【０１３１】  或いは、基地局が、ＤＣＩにおける変調符号化方式インデックスを指示するフィールドから少なくとも１ビットを削減し、当該フィールドにおける残りのビットにより変調符号化方式インデックスを表し、前記少なくとも１ビットの値と前記ＳＰＳのアクティブ及び／又はデアクティブとの対応関係に基づいて、前記ＳＰＳがアクティブであるかを指示する場合、ＵＥは、前記少なくとも１ビットとＳＰＳのアクティブ及び／又はデアクティブとの対応関係に基づいて、ＳＰＳがアクティブであるかを特定することができる。
【０１３２】  本発明の別の例では、基地局は、さらにＳＰＳのアクティブ／デアクティブの状態の指示の誤り率を低減させ、指示の精度を向上させるように、ＳＰＳのアクティブ／デアクティブを指示する際に、上記の第１の実施例におけるＤＣＩの暗黙指示方式と、第２の実施例におけるＭＡＣ  ＣＥ指示方式と、第３の実施例におけるＤＣＩの特定フィールドの値の指示方式とのうちいずれの少なくとも２つの方式の組み合わせを総合的に採用し、ＳＰＳのアクティブ／デアクティブの状態を共に指示することができる。それに応じて、ＵＥも、上記の少なくとも２つの方式を総合的に採用して、ＳＰＳのアクティブ／デアクティブを判断する。例えば、いずれかのＤＣＩ暗黙指示方式によりＳＰＳのアクティブ及びデアクティブを指示する時に、ＤＣＩにおける特定な一つ又は複数のビット又はフィールドを固定値として設定することができる。或いは、ＳＰＳのアクティブ／デアクティブの状態を指示する時に、指示の誤り率を低減させるように、ＭＣＳの予約フィールド、サブキャリア指示の予約フィールド、ＮＰＤＣＣＨトリガーインジケータ、若しくはその他のビット又はフィールド（例えば、スケジューリング遅延フィールド、リソース割り当てフィールド、繰り返し回数フィールド等）の一つ又は複数を、固定値として設定する（例えば、いずれも１として設定する）ことができる。
【０１３３】  本発明の実施例によるＳＰＳのアクティブによる方法によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【０１３４】  以下、図２０を参照しながら、本発明の実施例による基地局を説明する。図２０は、本発明の実施例による基地局２０００のブロック図を示す。図２０に示すように、基地局２０００は、生成部２０１０と、送信部２０２０とを含む。基地局２０００は、この２つの部材に加えて、他の部材をさらに含むことができるが、これらの部材が本発明の実施例の内容に関連しないため、ここではその図示及び説明を省略する。また、本発明の実施例による基地局２０００により実行される以下の動作の具体的な詳細は、図１９を参照しながら上記で記載されたものと同じであるため、繰り返しを避けるようにここでは同じ詳細の説明を省略する。
【０１３５】  図２０における生成部２０１０は、下り制御情報（ＤＣＩ）を生成するように配置される。
【０１３６】  本発明の実施例では、基地局は、ＤＣＩにおける特定フィールドの値と前記ＳＰＳのアクティブ及び／又はデアクティブとの対応関係に基づいて、前記ＳＰＳがアクティブであるかを指示することができる。
【０１３７】  具体的に、本発明の一例では、前記特定フィールドの値は、ＤＣＩにおける予約フィールドの特定値であってもよい。例えば、ＤＣＩにおける予約フィールドは、ＭＣＳインデックスにおける予約フィールドであってもよい。図１６は、現在のＮＢ−ＩｏＴにおいて上りＳＰＳに対するＭＣＳとＭＣＳインデックスとの間の対応関係を示し、これからわかるように、ＭＣＳインデックスが０−１０（即ち００００−１０１０）である場合、ＭＣＳインデックスのそれぞれは、１つの変調次数及びＴＢＳインデックスに対応し、ＭＣＳインデックスが１１−１５（即ち１０１１−１１１１）である場合、対応する変調次数及びＴＢＳインデックスが存在しない予約フィールドである。そのため、ＭＣＳインデックスの１１−１５の範囲内のいずれかの値とＳＰＳのアクティブ／デアクティブとを対応付けることができる。例えば、ＭＣＳインデックスが１５（即ち１１１１）である場合を選択して、ＳＰＳのデアクティブと対応付けることができる。また、ＭＣＳインデックスが１１−１５の範囲内のいずれかの値で既にＳＰＳのデアクティブの状態の対応フィールドを特定した後、それぞれ異なる変調次数及びＴＢＳインデックスに対応する０−１０のＭＣＳインデックスは、いずれもＳＰＳのアクティブの状態に対応すると考えられてもよい。なお、下りＳＰＳに対するＭＣＳとＭＣＳインデックスとの対応関係テーブルにおいて、図１６で示すような同様の方式により予約フィールドを選択して、ＳＰＳのアクティブ／デアクティブの状態と対応付けることもできる。
【０１３８】  本発明の別の例では、ＤＣＩにおける予約フィールドは、ＤＣＩが呼び出す上り伝送中のサブキャリア指示（ｓｕｂｃａｒｒｉｅｒ  ｉｎｄｉｃａｔｉｏｎ）における予約フィールドであってもよい。ＤＣＩにおけるサブキャリア指示フィールドは、６ビットで６４つの状態を含むことができるが、実際の適用では、そのうち４８つの状態（サブキャリア周波数が３．７５ＫＨｚである場合）又は１８つの状態（サブキャリア周波数が１５ＫＨｚである場合）しか必要がない。そのため、ＤＣＩサブキャリア指示における未使用の予約フィールドの特定値によりＳＰＳのアクティブ／デアクティブを指示することができる。例えば、値が１１１１１１である６ビットによりＳＰＳのデアクティブを指示し、値が１１１１１０である６ビットによりＳＰＳのアクティブを指示することができる。
【０１３９】  本発明のまた別の例では、特フィールドは、前記ＤＣＩの一つ又は複数の冗長ビットであってもよい。例えば、ＤＣＩが呼び出す下り伝送中のＮＰＤＣＣＨトリガーインジケータ（ＮＰＤＣＣＨ  ｏｒｄｅｒ  ｉｎｄｉｃａｔｏｒ）は、非準静的伝送の時のランダムアクセスチャネル（ＲＡＣＨ）がどのようにトリガーされるかを指示するために用いられる。現在が準静的スケジューリングである場合、ＮＰＤＣＣＨトリガーインジケータはＲＡＣＨの状態を指示する必要がないため、ＳＰＳでの冗長ビットと見なされてもよい。このような場合に、ＮＰＤＣＣＨトリガーインジケータの値とＳＰＳのアクティブ／デアクティブとの対応関係を構築することができ、例えば、ＮＰＤＣＣＨトリガーインジケータの値が０である場合、ＳＰＳのアクティブを指示し、１である場合、ＳＰＳのデアクティブを指示する。
【０１４０】  本発明のさらに別の例では、上記のＤＣＩにおける予約フィールドの特定値と冗長ビットの一つ又は複数との両方を併用して、ＳＰＳのアクティブ／デアクティブを共に指示することができる。或いは、ＤＣＩにおけるＭＣＳの予約フィールド、サブキャリア指示の予約フィールド、及びＮＰＤＣＣＨトリガーインジケータ等を、いずれも固定な値として定義し、例えば、全てのビットの値を、いずれも１として設定することができる。さらに、指示の誤り率をさらに低減させるように、ＳＰＳのアクティブ及びデアクティブを指示する時に、ＤＣＩにおける特定な一つ又は複数のビット又はフィールドを固定値として設定し、例えば、デアクティブに対する上記ＭＣＳの予約フィールド、サブキャリア指示の予約フィールド、及びＮＰＤＣＣＨトリガーインジケータ以外の一つ又は複数のビット又はフィールド（例えば、スケジューリング遅延フィールド、リソース割り当てフィールド、繰り返し回数フィールド等）を、いずれも固定値として設定する（例えば、いずれも１として設定する）ことができる。
【０１４１】  或いは、基地局は、前記ＤＣＩにおける特定フィールドの値と前記ＳＰＳのアクティブ及び／又はデアクティブとの対応関係に基づいて、前記ＳＰＳがアクティブであるかを指示することは、ＤＣＩにおける変調符号化方式インデックスを指示するフィールドから少なくとも１ビットを削減し、当該フィールドにおける残りのビットにより変調符号化方式インデックスを表すことと、前記少なくとも１ビットの値と前記ＳＰＳのアクティブ及び／又はデアクティブとの対応関係に基づいて、前記ＳＰＳがアクティブであるかを指示することと、をさらに含むことができる。具体的に、図１７に示すように、ＮＢ−ｌｏＴにおけるＭＣＳの４ビットのインデックスから少なくとも１ビットを削減し、当該フィールドにおける残りの３ビットでＭＣＳインデックスを構築することができる。このような場合に、チャネル伝送及びシステムリソース占有状況を総合的に考慮し、その一部のＭＣＳ状態を選択的に保留して、システムリソースコストをなるべく削減しながら、新たなＭＣＳとＭＣＳインデックスとの間の対応関係を構築することができる。或いは、この削減されたビットは、ＭＣＳインデックスの最上位ビット（ＭＳＢ）であってもよく、もちろん、ＭＣＳインデックスのうちいずれかのビットであってもよい。図１７で示される新たな対応関係テーブルを取得した後、前記少なくとも１ビットとＳＰＳのアクティブ及び／又はデアクティブとの対応関係を構築して、ＳＰＳのアクティブ／デアクティブを指示することができる。例えば、このビットの値が０である場合をＳＰＳのアクティブと対応付け、ビットの値が１である場合をＳＰＳのデアクティブと対応付けることができる。図１７では、ＭＣＳとＭＣＳインデックスとの対応関係の可能な一実施形態を示すが、実際の適用では、実際の状況又は各パラメータにより、そのうちいずれか一つ又は複数のＭＣＳ状態を選択してもよく、ここに制限されるものではない。
【０１４２】  送信部２０２０は、ＵＥが前記ＤＣＩにおける特定フィールドの値と前記ＳＰＳのアクティブ及び／又はデアクティブとの対応関係に基づいて、前記ＳＰＳがアクティブであるかを特定するように、前記ＤＣＩを送信するように配置される。
【０１４３】  前記のように、送信部２０２０は、ＵＥがＳＰＳのアクティブ／デアクティブの状態を特定するように、ＤＣＩを送信する。具体的に、前記特定フィールドの値がＤＣＩにおける予約フィールドの特定値であってもよい場合、例えば、ＭＣＳインデックスにおける予約フィールドの特定値である場合、ＵＥは、ＭＣＳインデックスが１１−１５の範囲内の任意の値とＳＰＳのアクティブ／デアクティブとの対応関係に基づいて、前記ＳＰＳがアクティブであるかを特定することができる。
【０１４４】  ＤＣＩにおける予約フィールドが、上り呼び出しのサブキャリア指示（ｓｕｂｃａｒｒｉｅｒ  ｉｎｄｉｃａｔｉｏｎ）における予約フィールドである場合、ＵＥは、ＤＣＩにおけるサブキャリア指示の予約フィールドの特定値とＳＰＳのアクティブ／デアクティブとの対応関係に基づいて、ＳＰＳがアクティブであるかを特定することができる。
【０１４５】  なお、特定フィールドが、前記ＤＣＩの一つ又は複数の冗長ビットである場合、ＵＥは、冗長ビットの値とＳＰＳのアクティブ／デアクティブとの対応関係に基づいて、ＳＰＳがアクティブであるかを特定することができる。
【０１４６】  基地局が、上記のＤＣＩにおける予約フィールドの特定値と冗長ビットの一つ又は複数との両方を併用して、ＳＰＳのアクティブ／デアクティブを共に指示する場合、ＵＥは、指示の誤り率をさらに低減させるように、上記の各種の対応関係の組み合わせによりＳＰＳがアクティブであるかを総合的に特定することができる。
【０１４７】  或いは、基地局が、ＤＣＩにおける変調符号化方式インデックスを指示するフィールドから少なくとも１ビットを削減し、当該フィールドにおける残りのビットにより変調符号化方式インデックスを表し、前記少なくとも１ビットの値と前記ＳＰＳのアクティブ及び／又はデアクティブとの対応関係に基づいて、前記ＳＰＳがアクティブであるかを指示する場合、ＵＥは、前記少なくとも１ビットとＳＰＳのアクティブ及び／又はデアクティブとの対応関係に基づいて、ＳＰＳがアクティブであるかを特定することができる。
【０１４８】  本発明の別の例では、基地局は、さらに指示の誤り率を低減させ、指示の精度を向上させるように、ＳＰＳのアクティブ／デアクティブを指示する際に、上記の第１の実施例におけるＤＣＩの暗黙指示方式と、第２の実施例におけるＭＡＣ  ＣＥ指示方式と、第３の実施例におけるＤＣＩの特定フィールドの値の指示方式とのうちいずれの少なくとも２つの方式の組み合わせを総合的に採用し、ＳＰＳのアクティブ／デアクティブの状態を共に指示することができる。それに応じて、ＵＥも、上記の少なくとも２つの方式を総合的に採用して、ＳＰＳのアクティブ／デアクティブを判断する。例えば、いずれかのＤＣＩ暗黙指示方式によりＳＰＳのアクティブ及びデアクティブを指示する時に、ＤＣＩにおける特定な一つ又は複数のビット又はフィールドを固定値として設定することができる。或いは、ＳＰＳのアクティブ／デアクティブの状態を指示する時に、指示の誤り率を低減させるように、ＭＣＳの予約フィールド、サブキャリア指示の予約フィールド、ＮＰＤＣＣＨトリガーインジケータ、若しくはその他のビット又はフィールド（例えば、スケジューリング遅延フィールド、リソース割り当てフィールド、繰り返し回数フィールド等）の一つ又は複数を、固定値として設定する（例えば、いずれも１として設定する）ことができる。
【０１４９】  本発明の実施例による基地局によれば、ＮＢ−ＩｏＴにおいてＳＰＳのアクティブ及び／又はデアクティブを正確的かつ効果的に特定及び指示し、シグナリングオーバーヘッドを低減し、リソースの利用効率を向上させることができる。
【０１５０】  なお、上記実施形態の説明に用いたブロック図は、機能単位のブロックを示している。これらの機能部（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【０１５１】  例えば、本開示の一実施形態に係る基地局、ユーザ機器は、本発明のＳＰＳのアクティブ特定又は指示方法の処理を実行するコンピュータとして機能してもよい。図２１は、本開示の一実施形態による基地局及びユーザ端末のハードウェア構成の一例を示す図である。上記のＵＥ及び基地局は、物理的には、プロセッサ２１１０、メモリ２１２０、ストレージ２１３０、通信装置２１４０、入力装置２１５０、出力装置２１６０、バス２１７０などを含むコンピュータ装置として構成されてもよい。
【０１５２】  なお、以下の説明では、「装置」という文言は、回路、デバイス、ユニットなどに読み替えることができる。ＵＥ及び基地局のハードウェア構成は、図に示した各装置を１つ又は複数含むように構成されてもよいし、一部の装置を含まずに構成されてもよい。
【０１５３】  例えば、プロセッサ２１１０は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ２１１０は、１以上のチップで実装されてもよい。
【０１５４】  ＵＥ及び基地局の各機能は、例えば、プロセッサ２１１０、メモリ２１２０などのハードウェア上に所定のソフトウェア（プログラム）を読み込ませることで、プロセッサ２１１０が演算を行い、通信装置２１４０による通信や、メモリ２１２０及びストレージ２１３０におけるデータの読み出し及び／又は書き込みを制御することで実現される。
【０１５５】  プロセッサ２１１０は、例えば、オペレーティングシステムを動作させてコンピュータ全体を制御する。プロセッサ２１１０は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【０１５６】  また、プロセッサ２１１０は、プログラム（プログラムコード）、ソフトウェアモジュール、データなどを、ストレージ２１３０及び／又は通信装置２１４０からメモリ２１２０に読み出し、これらに基づいて各種の処理を実行する。プログラムとしては、上記の実施形態で説明した動作の少なくとも一部をコンピュータに実行させるプログラムが用いられる。
【０１５７】  メモリ２１２０は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、ＲＡＭ（Ｒａｎｄｏｍ  Ａｃｃｅｓｓ  Ｍｅｍｏｒｙ）、その他の適切な記憶媒体の少なくとも１つで構成されてもよい。メモリ２１２０は、レジスタ、キャッシュ、メインメモリ（主記憶装置）などと呼ばれてもよい。メモリ２１２０は、本発明の一実施形態に係るリソーススケジューリング方法を実施するために実行可能なプログラム（プログラムコード）、ソフトウェアモジュールなどを保存することができる。
【０１５８】  ストレージ２１３０は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Ｃｏｍｐａｃｔ  Ｄｉｓｃ  ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ２１３０は、補助記憶装置と呼ばれてもよい。
【０１５９】  通信装置２１４０は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置２１４０は、例えば周波数分割複信（ＦＤＤ：Ｆｒｅｑｕｅｎｃｙ  Ｄｉｖｉｓｉｏｎ  Ｄｕｐｌｅｘ）及び／又は時分割複信（ＴＤＤ：Ｔｉｍｅ  Ｄｉｖｉｓｉｏｎ  Ｄｕｐｌｅｘ）を実現するために、高周波スイッチ、デュプレクサ、フィルタ、周波数シンセサイザなどを含んで構成されてもよい。
【０１６０】  入力装置２１５０は、外部からの入力を受け付ける入力デバイス（例えば、キーボード、マウス、マイクロフォン、スイッチ、ボタン、センサなど）である。出力装置２１６０は、外部への出力を実施する出力デバイス（例えば、ディスプレイ、スピーカー、ＬＥＤ（Ｌｉｇｈｔ  Ｅｍｉｔｔｉｎｇ  Ｄｉｏｄｅ）ランプなど）である。なお、入力装置２１５０及び出力装置２１６０は、一体となった構成（例えば、タッチパネル）であってもよい。
【０１６１】  また、プロセッサ２１１０やメモリ２１２０などの各装置は、情報を通信するためのバス２１７０で接続される。バス２１７０は、単一のバスで構成されてもよいし、装置間で異なるバスで構成されてもよい。
【０１６２】また、ＵＥ及び基地局は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ２１１０は、これらのハードウェアの少なくとも１つで実装されてもよい。
【０１６３】  なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Ｒｅｆｅｒｅｎｃｅ  Ｓｉｇｎａｌ）と略称することもでき、適用される標準によってパイロット（Ｐｉｌｏｔ）、パイロット信号などと呼ばれてもよい。また、コンポーネントキャリア（ＣＣ：Ｃｏｍｐｏｎｅｎｔ  Ｃａｒｒｉｅｒ）は、セル、周波数キャリア、キャリア周波数などと呼ばれてもよい。
【０１６４】  また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１６５】  さらに、スロットは、時間領域において１つ又は複数のシンボル（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０１６６】  無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Ｔｒａｎｓｍｉｓｓｉｏｎ  Ｔｉｍｅ  Ｉｎｔｅｒｖａｌ）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６７】  ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６８】  ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１６９】  なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７０】  １ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（ｐａｒｔｉａｌ又はｆｒａｃｔｉｏｎａｌ  ＴＴＩ）、短縮サブフレーム、ショートサブフレーム、ミニスロット、又は、サブスロットなどと呼ばれてもよい。
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７１】  リソースブロック（ＲＢ：Ｒｅｓｏｕｒｃｅ  Ｂｌｏｃｋ）は、時間領域及び周波数領域のリソース割当単位であり、周波数領域において、１つ又は複数個の連続した副搬送波（サブキャリア（ｓｕｂｃａｒｒｉｅｒ））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Ｐｈｙｓｉｃａｌ  ＲＢ）、サブキャリアグループ（ＳＣＧ：Ｓｕｂ−Ｃａｒｒｉｅｒ  Ｇｒｏｕｐ）、リソースエレメントグループ（ＲＥＧ：Ｒｅｓｏｕｒｃｅ  Ｅｌｅｍｅｎｔ  Ｇｒｏｕｐ）、ＰＲＢペア、ＲＢペアなどと呼ばれてもよい。
【０１７２】  また、リソースブロックは、１つ又は複数のリソースエレメント（ＲＥ：Ｒｅｓｏｕｒｃｅ  Ｅｌｅｍｅｎｔ）で構成されてもよい。例えば、１ＲＥは、１サブキャリア及び１シンボルの無線リソース領域であってもよい。
【０１７３】  なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Ｃｙｃｌｉｃ  Ｐｒｅｆｉｘ）長などの構成は、様々に変更することができる。
【０１７４】  また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１７５】  本明細書においてパラメータなどに使用する名称は、いかなる点においても限定的なものではない。例えば、様々なチャネル（物理上りリンク制御チャネル（ＰＵＣＣＨ、ＰｈｙｓｉｃａｌＵｐｌｉｎｋ  ＣｏｎｔｒｏｌＣｈａｎｎｅｌ）、物理下りリンク制御チャネル（ＰＤＣＣＨ、ＰｈｙｓｉｃａｌＤｏｗｎｌｉｎｋ  ＣｏｎｔｒｏｌＣｈａｎｎｅｌ）等）及び情報要素は、あらゆる好適な名称によって識別できるので、これらの様々なチャネル及び情報要素に割り当てている様々な名称は、いかなる点においても限定的なものではない。
【０１７６】  本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７７】  また、情報、信号などは、上位レイヤから下位レイヤ、及び／又は下位レイヤから上位レイヤへ出力され得る。情報、信号などは、複数のネットワークノードを介して入出力されてもよい。
【０１７８】  入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１７９】  情報の通知は、本明細書で説明した態様／実施形態に限られず、他の方法で行われてもよい。例えば、情報の通知は、物理レイヤシグナリング（例えば、下り制御情報（ＤＣＩ：Ｄｏｗｎｌｉｎｋ  Ｃｏｎｔｒｏｌ  Ｉｎｆｏｒｍａｔｉｏｎ）、上り制御情報（ＵＣＩ：Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ブロードキャスト情報（マスタ情報ブロック（ＭＩＢ：Ｍａｓｔｅｒ  Ｉｎｆｏｒｍａｔｉｏｎ  Ｂｌｏｃｋ）、システム情報ブロック（ＳＩＢ：Ｓｙｓｔｅｍ  Ｉｎｆｏｒｍａｔｉｏｎ  Ｂｌｏｃｋ）など）、ＭＡＣ（Ｍｅｄｉｕｍ  Ａｃｃｅｓｓ  Ｃｏｎｔｒｏｌ）シグナリング）、その他の信号又はこれらの組み合わせによって実施されてもよい。
【０１８０】  なお、物理レイヤシグナリングは、Ｌ１／Ｌ２（Ｌａｙｅｒ  １／Ｌａｙｅｒ  ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。また、ＭＡＣシグナリングは、例えば、ＭＡＣ制御要素（ＭＡＣ  ＣＥ（Ｃｏｎｔｒｏｌ  Ｅｌｅｍｅｎｔ））で通知されてもよい。
【０１８１】  また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１８２】  判定は、１ビットで表される値（０か１か）によって行われてもよいし、真（ｔｒｕｅ）又は偽（ｆａｌｓｅ）で表される真偽値（ｂｏｏｌｅａｎ）によって行われてもよいし、数値の比較（例えば、所定の値との比較）によって行われてもよい。
【０１８３】  ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８４】  また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Ｄｉｇｉｔａｌ  Ｓｕｂｓｃｒｉｂｅｒ  Ｌｉｎｅ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１８５】  本明細書で使用する「システム」及び「ネットワーク」という用語は、互換的に使用される。
【０１８６】  本明細書では、「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０１８７】  基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１８８】  本明細書では、「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」及び「端末」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０１８９】  移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９０】  また、本明細書における無線基地局は、ユーザ端末で読み替えてもよい。例えば、無線基地局及びユーザ端末間の通信を、複数のユーザ端末間（Ｄ２Ｄ：Ｄｅｖｉｃｅ−ｔｏ−Ｄｅｖｉｃｅ）の通信に置き換えた構成について、本発明の各態様／実施形態を適用してもよい。この場合、上述の基地局が有する機能をＵＥが有する構成としてもよい。また、「上り」及び「下り」などの文言は、「サイド」と読み替えられてもよい。例えば、上りチャネルは、サイドチャネルと読み替えられてもよい。
【０１９１】  同様に、本明細書におけるＵＥは、基地局で読み替えてもよい。この場合、上述のＵＥが有する機能を基地局が有する構成としてもよい。
【０１９２】  本明細書において、基地局によって行われるとした特定動作は、場合によってはその上位ノード（ｕｐｐｅｒ  ｎｏｄｅ）によって行われることもある。基地局を有する１つ又は複数のネットワークノード（ｎｅｔｗｏｒｋ  ｎｏｄｅｓ）から成るネットワークにおいて、端末との通信のために行われる様々な動作は、基地局、基地局以外の１つ以上のネットワークノード（例えば、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−Ｇａｔｅｗａｙ）などが考えられるが、これらに限られない）又はこれらの組み合わせによって行われ得ることは明らかである。
【０１９３】  本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９４】  本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＬＴＥ−Ｂ（ＬＴＥ−Ｂｅｙｏｎｄ）、ＳＵＰＥＲ  ３Ｇ、ＩＭＴ−Ａｄｖａｎｃｅｄ、４Ｇ（４ｔｈ  ｇｅｎｅｒａｔｉｏｎ  ｍｏｂｉｌｅ  ｃｏｍｍｕｎｉｃａｔｉｏｎ  ｓｙｓｔｅｍ）、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）、ＦＲＡ（Ｆｕｔｕｒｅ  Ｒａｄｉｏ  Ａｃｃｅｓｓ）、Ｎｅｗ−ＲＡＴ（Ｒａｄｉｏ  Ａｃｃｅｓｓ  Ｔｅｃｈｎｏｌｏｇｙ）、ＮＲ（Ｎｅｗ  Ｒａｄｉｏ）、ＮＸ（Ｎｅｗ  ｒａｄｉｏ  ａｃｃｅｓｓ）、ＦＸ（Ｆｕｔｕｒｅ  ｇｅｎｅｒａｔｉｏｎ  ｒａｄｉｏ  ａｃｃｅｓｓ）、ＧＳＭ（登録商標）（Ｇｌｏｂａｌ  Ｓｙｓｔｅｍ  ｆｏｒ‐Ｍｏｂｉｌｅ  ｃｏｍｍｕｎｉｃａｔｉｏｎｓ）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切な無線通信方法を利用するシステム及び／又はこれらに基づいて拡張された次世代システムに適用されてもよい。
【０１９５】  本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９６】  本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１９７】  本明細書で使用する「判断（決定）（ｄｅｔｅｒｍｉｎｉｎｇ）」という用語は、多種多様な動作を包含する場合がある。例えば、「判断（決定）」は、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）などを「判断（決定）」することであるとみなされてもよい。また、「判断（決定）」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）などを「判断（決定）」することであるとみなされてもよい。また、「判断（決定）」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などを「判断（決定）」することであるとみなされてもよい。つまり、「判断（決定）」は、何らかの動作を「判断（決定）」することであるとみなされてもよい。
【０１９８】  本明細書で使用する「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０１９９】  本明細書又は特許請求の範囲で「含む（ｉｎｃｌｕｄｉｎｇ）」、「含んでいる（ｃｏｍｐｒｉｓｉｎｇ）」、及びそれらの変形が使用されている場合、これらの用語は、用語「備える」と同様に、包括的であることが意図される。さらに、本明細書あるいは特許請求の範囲において使用されている用語「又は（ｏｒ）」は、排他的論理和ではないことが意図される。
【０２００】  以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2020537845.tif 000003
【図２】
2020537845.tif 000004
【図３】
2020537845.tif 000005
【図４】
2020537845.tif 000006
【図５】
2020537845.tif 000007
【図６】
2020537845.tif 000008
【図７】
2020537845.tif 000009
【図８】
2020537845.tif 000010
【図９】
2020537845.tif 000011
【図１０】
2020537845.tif 000012
【図１１】
2020537845.tif 000013
【図１２】
2020537845.tif 000014
【図１３】
2020537845.tif 000015
【図１４】
2020537845.tif 000016
【図１５】
2020537845.tif 000017
【図１６】
2020537845.tif 000018
【図１７】
2020537845.tif 000019
【図１８】
2020537845.tif 000020
【図１９】
2020537845.tif 000021
【図２０】
2020537845.tif 000022
【図２１】
2020537845.tif 000023
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
端末であって、
下り制御情報であるＤＣＩを受信するように構成される受信部と、
前記ＤＣＩにおける特定フィールドの値とＳＰＳアクティブ及び／又はデアクティブとの対応関係に基づいて、前記ＳＰＳがアクティブされるか否かを特定するように構成される特定部と、
を含む端末。
【請求項２】
前記特定フィールドの値はＤＣＩにおける予約フィールドの特定値である、請求項１に記載の端末。
【請求項３】
ユーザによるＳＰＳのアクティブ特定方法であって、
下り制御情報であるＤＣＩを受信することと、
前記ＤＣＩにおける特定フィールドの値と前記ＳＰＳアクティブ及び／又はデアクティブとの対応関係に基づいて、前記ＳＰＳがアクティブされるか否かを特定することと、
を含む方法。
【請求項４】
基地局であって、
下り制御情報であるＤＣＩであって、前記ＤＣＩにおける特定フィールドの値とＳＰＳアクティブ及び／又はデアクティブとの対応関係に基づいて前記ＳＰＳがアクティブされるか否かを指示する前記ＤＣＩを生成するように構成される生成部と、
前記ＤＣＩを送信する送信部と、
を含む基地局。
【国際調査報告】
2020537845.tif 000024
2020537845.tif 000025
2020537845.tif 000026
2020537845.tif 000027